(57)【要約】  支配的干渉シナリオにおける通信をサポートするための技術が説明される。ユーザ装置（ＵＥ）は、第１の基地局と通信することができ及び第２の基地局からの高い干渉を観測することがあり及び／又は第２の基地局に対して高い干渉を引き起こすことがある。一設計においては、第１の基地局は、第１の周波数帯域を用いることができ、それは、第２の基地局のための第２の周波数帯域と少なくとも部分的に重なり合うことができ及び第２の周波数帯域を越えてさらに拡大することができる。第１の基地局は、第１の基地局を検出するためのＵＥによる使用のために第１の周波数帯域の中央部分において少なくとも１つの同期化信号及びブロードキャストチャネルを送信することができる。第２の周波数帯域は、第１の周波数帯域の中央部分と重なり合わないことができる。第１の基地局は、第１の周波数帯域において少なくとも１つのＵＥと通信することもできる。第２の設計においては、ＵＥは、推定された干渉を用いて受信されたシンボルを復号することを目指す。
2011527877.tif 000002
【特許請求の範囲】
【請求項１】
無線通信のための方法であって、
第１の基地局のための第１の周波数帯域を決定することであって、前記第１の周波数帯域は、第２の基地局のための第２の周波数帯域と少なくとも部分的に重なり合いまた前記第２の周波数帯域を越えてさらに拡大することと、
前記第１の基地局のための前記第１の周波数帯域を示す情報をブロードキャストすることと、
前記第１の基地局によって前記第１の周波数において少なくとも１つのユーザ装置（ＵＥ）と通信すること、を備える無線通信のための方法。
【請求項２】
前記第２の基地局のための前記第２の周波数帯域を示す情報をブロードキャストすることをさらに備える請求項１に記載の方法。
【請求項３】
前記第１の基地局を検出するためのＵＥによって使用のために前記第１の周波数帯域の中央部分において少なくとも１つの同期化信号を送信することをさらに備え、前記第２の周波数帯域は、前記第１の周波数帯域の前記中央部分と重なり合わないようにしている請求項１に記載の方法。
【請求項４】
第３の基地局のための第３の周波数帯域が、前記第２の周波数帯域と重なり合わず、また前記第１の周波数帯域の前記中央部分とさらに重なり合わないようにした請求項３に記載の方法。
【請求項５】
前記少なくとも１つのＵＥと前記通信することは、前記第１の周波数において制御チャネルを送信することである請求項１に記載の方法。
【請求項６】
前記少なくとも１つのＵＥと前記通信することは、前記少なくとも１つのＵＥが前記第２の基地局からの干渉なしに制御チャネルの少なくとも１つの送信を受信することを可能にするために、前記第１の周波数帯域において前記制御チャネルの複数の送信を送出することを備える請求項１に記載の方法。
【請求項７】
前記少なくとも１つのＵＥと前記通信することは、前記第１の周波数帯域の一部分においてより高い送信電力で制御チャネルを送信することを備え、前記一部分は、前記第２の周波数帯域と重なり合わないようにしている請求項１に記載の方法。
【請求項８】
前記少なくとも１つのＵＥと前記通信することは、前記第１の周波数帯域の一部分において前記第２の基地局からの高い干渉に対処するためのより低い変調及び符号化方式を用いて制御チャネルを送信することを備え、前記一部分は、前記第２の周波数帯域と重なり合う請求項１に記載の方法。
【請求項９】
前記少なくとも１つのＵＥと前記通信することは、前記第１の周波数帯域の選択された部分において前記少なくとも１つのＵＥに制御チャネルを送信することを備え、前記選択された部分は、前記第２の周波数帯域と最小限重なり合っている請求項１に記載の方法。
【請求項１０】
前記第１の周波数帯域の選択された部分においてＵＥにデータチャネルを送信することをさらに備え、前記選択された部分は、前記第２の周波数帯域と重なり合わないようにしている請求項１に記載の方法。
【請求項１１】
前記少なくとも１つのＵＥと前記通信することは、
前記第２の周波数帯域と重なり合わない前記第１の周波数帯域の中央部分において一次同期化信号（ＰＳＳ）、二次同期化信号（ＳＳＳ）、物理ブロードキャストチャネル（ＰＢＣＨ）、又はそれらの組み合わせを送信することと、
前記第１の周波数帯域において物理制御フォーマットインジケータチャネル（ＰＣＦＩＣＨ）、又は物理ＨＡＲＱインジケータチャネル（ＰＨＩＣＨ）、又は両方を送信することと、
前記第１の周波数帯域において物理ダウンリンク制御チャネル（ＰＤＣＣＨ）、又は物理ダウンリンク共有チャネル（ＰＤＳＣＨ）、又は両方を送信すること、を備える請求項１に記載の方法。
【請求項１２】
前記少なくとも１つのＵＥと前記通信することは、前記第１の周波数帯域の制御領域において前記少なくとも１つのＵＥによって送信された制御チャネルを受信することを備え、前記制御領域は、前記第２の周波数帯域と重なり合わない請求項１に記載の方法。
【請求項１３】
前記少なくとも１つのＵＥと前記通信することは、前記第１の周波数帯域のデータ領域において前記少なくとも１つのＵＥによって送信されたデータチャネルを受信することを備え、前記データ領域は、アップリンクにおけるデータ送信のために割り当て可能でありそして前記第２の周波数帯域と重なり合わないようにした請求項１に記載の方法。
【請求項１４】
前記少なくとも１つのＵＥと前記通信することは、
前記第１の周波数帯域の制御領域において前記少なくとも１つのＵＥによって送信された物理アップリンク制御チャネル（ＰＵＣＣＨ）を受信することであって、前記制御領域は、前記第２の周波数帯域と重なり合わないことと、
前記第１の周波数帯域のデータ領域において前記少なくとも１つのＵＥによって送信された物理アップリンク共有チャネル（ＰＵＳＣＨ）を受信することであって、前記データ領域は、アップリンクにおけるデータ送信のために割り当て可能でありそして前記第２の周波数帯域及び前記制御領域と重なり合わないようにしていること、を備える請求項１に記載の方法。
【請求項１５】
前記少なくとも１つのＵＥと前記通信することは、前記第２の周波数帯域におけるアップリンクでのデータ送信のためにＵＥをスケジューリングすることを回避することを備える請求項１に記載の方法。
【請求項１６】
前記第１の周波数帯域は、前記第２の周波数帯域よりも大きい帯域幅を有しまた前記第２の周波数帯域を完全に網羅する請求項１に記載の方法。
【請求項１７】
前記第１の周波数帯域は、第１の制御領域と第１のデータ領域とを備え、前記第２の周波数帯域は、第２の制御領域と第２のデータ領域とを備え、前記第１の制御領域は、前記第２の制御領域と重なり合わないようにした請求項１に記載の方法。
【請求項１８】
前記第１の基地局は、マクロ基地局であり、前記第２の基地局は、制限されたアクセスを有し及びダウンリンクにおいて前記少なくとも１つのＵＥに対して高い干渉を引き起こすフェムト基地局である請求項１に記載の方法。
【請求項１９】
無線通信のための装置であって、
第１の基地局のための第１の周波数帯域を決定するための手段であって、前記第１の周波数帯域は、第２の基地局のための第２の周波数帯域と少なくとも部分的に重なり合いまた前記第２の周波数帯域を越えてさらに拡大するようにした手段と、
前記第１の基地局のための前記第１の周波数帯域を示す情報をブロードキャストするための手段と、
前記第１の基地局によって前記第１の周波数帯域で少なくとも１つのユーザ装置（ＵＥ）と通信するための手段と、を備える、無線通信のための装置。
【請求項２０】
前記第１の基地局を検出するためのＵＥによる使用のために、前記第１の周波数帯域の中央部分において少なくとも１つの同期化信号を送信するための手段をさらに備え、前記第２の周波数帯域は前記第１の周波数帯域の前記中央部分と重なり合わないようにした請求項１９に記載の装置。
【請求項２１】
前記少なくとも１つのＵＥと前記通信するための前記手段は、前記少なくとも１つのＵＥが前記第２の基地局からの干渉なしに制御チャネルの少なくとも１つの送信を受信することを可能にするために前記第１の周波数帯域において前記制御チャネルの複数の送信を送出するための手段を備える請求項１９に記載の装置。
【請求項２２】
前記少なくとも１つのＵＥと前記通信するための前記手段は、前記第１の周波数帯域の一部分において前記少なくとも１つのＵＥに制御チャネル又はデータチャネルを送信するための手段を備え、前記一部分は、前記第２の周波数帯域と重なり合わないようにした請求項１９に記載の装置。
【請求項２３】
前記少なくとも１つのＵＥと前記通信するための前記手段は、
前記第１の周波数帯域の制御領域において前記少なくとも１つのＵＥによって送信された制御チャネルを受信するための手段であって、前記制御領域は、前記第２の周波数帯域と重なり合わないようにしている手段と、
前記第１の周波数帯域のデータ領域において前記少なくとも１つのＵＥによって送信されたデータチャネルを受信するための手段であって、前記データ領域は、アップリンクにおけるデータ送信のために割り当て可能でありまた前記第２の周波数帯域及び前記制御領域と重なり合わないようにしている手段と、を備える請求項１９に記載の装置。
【請求項２４】
無線通信のための装置であって、
第１の基地局のための第１の周波数帯域を決定し、前記第１の基地局のための前記第１の周波数帯域を示す情報をブロードキャストし、そして前記第１の基地局によって前記第１の周波数において少なくとも１つのユーザ装置（ＵＥ）と通信するように構成された少なくとも１つのプロセッサを備え、前記第１の周波数帯域は、第２の基地局のための第２の周波数帯域と少なくとも部分的に重なり合いまた前記第２の周波数帯域を越えてさらに拡大している、無線通信のための装置。
【請求項２５】
前記少なくとも１つのプロセッサは、前記第１の基地局を検出するためのＵＥによる使用のために、前記第１の周波数帯域の中央部分において少なくとも１つの同期化信号を送信するように構成され、前記第２の周波数帯域は、前記第１の周波数帯域の前記中央部分と重なり合わないようにしている請求項２４に記載の装置。
【請求項２６】
前記少なくとも１つのプロセッサは、前記少なくとも１つのＵＥが前記第２の基地局からの干渉なしに制御チャネルの少なくとも１つの送信を受信することを可能にするために前記第１の周波数帯域において前記制御チャネルの複数の送信を送出するように構成される請求項２４に記載の装置。
【請求項２７】
前記少なくとも１つのプロセッサは、前記第１の周波数帯域の一部分において前記少なくとも１つのＵＥに制御チャネル又はデータチャネルを送信するように構成され、前記一部分は、前記第２の周波数帯域と重なり合わないようにした請求項２４に記載の装置。
【請求項２８】
前記少なくとも１つのプロセッサは、前記第１の周波数帯域の制御領域において前記少なくとも１つのＵＥによって送信された制御チャネルを受信し、及び前記第１の周波数帯域のデータ領域において前記少なくとも１つのＵＥによって送信されたデータチャネルを受信するように構成され、前記制御領域は、前記第２の周波数帯域と重なり合わず、前記データ領域は、アップリンクにおけるデータ送信のために割り当て可能でありまた前記第２の周波数帯域及び前記制御領域と重なり合わないようにした請求項２４に記載の装置。
【請求項２９】
コンピュータプログラム製品であって、
第１の基地局のための第１の周波数帯域を決定することを少なくとも１つのコンピュータに行わせるための符号であって、前記第１の周波数帯域は、第２の基地局のための第２の周波数帯域と少なくとも部分的に重なり合いまた前記第２の周波数帯域を越えてさらに拡大する符号と、
前記第１の基地局のための前記第１の周波数帯域を示す情報をブロードキャストすることを前記少なくとも１つのコンピュータに行わせるための符号と、
前記第１の基地局によって前記第１の周波数において少なくとも１つのユーザ装置（ＵＥ）と通信することを前記少なくとも１つのコンピュータに行わせるための符号と、を備えるコンピュータによって読み取り可能な媒体、を備える、コンピュータプログラム製品。
【請求項３０】
無線通信のための方法であって、
第１の基地局のための第１の周波数帯域を示すブロードキャストされた情報を受信することであって、前記第１の周波数帯域は、第２の基地局のための第２の周波数帯域と少なくとも部分的に重なり合い及び前記第２の周波数帯域を越えてさらに拡大することと、
ユーザ装置（ＵＥ）によって前記第１の周波数帯域において前記第１の基地局と通信すること、を備える、無線通信のための方法。
【請求項３１】
前記第１の周波数帯域の中央部分において前記第１の基地局によって送信された少なくとも１つの同期化信号を受信することをさらに備え、前記第２の周波数帯域は、前記第１の周波数帯域の前記中央部分と重なり合わない請求項３０に記載の方法。
【請求項３２】
前記第１の基地局と前記通信することは、
前記第１の周波数において前記第１の基地局によって送信された制御チャネルのための受信されたシンボルを得ることと、
前記受信されたシンボルによって観測された干渉を推定することと、
前記制御チャネルにおいて送信された情報を復元するために前記推定された干渉を考慮に入れることによって前記受信されたシンボルを復号すること、を備える請求項３０に記載の方法。
【請求項３３】
前記受信されたシンボルを前記復号することは、
高い干渉を有する受信されたシンボルを廃棄することと、
前記制御チャネルにおいて送信された前記情報を復元するために廃棄されない受信されたシンボルを復号すること、を備える請求項３２に記載の方法。
【請求項３４】
前記受信されたシンボルを前記復号することは、
前記推定された干渉に基づいて前記受信されたシンボルに重みを付けることと、
前記制御チャネルにおいて送信された前記情報を復元するために前記重みが付けられた受信されたシンボルを復号すること、を備える請求項３２に記載の方法。
【請求項３５】
前記受信されたシンボルによって観測された干渉を前記推定することは、前記第２の基地局からの基準信号の受信された電力に基づいて前記受信されたシンボルによって観測された干渉を推定することを備える請求項３２に記載の方法。
【請求項３６】
前記受信されたシンボルによって観測された干渉を前記推定することは、前記第１の周波数帯域の異なる部分に関する複数の干渉推定値を得ることを備える請求項３２に記載の方法。
【請求項３７】
前記第１の基地局と前記通信することは、
前記第１の基地局からの制御チャネルは前記ＵＥによって信頼できる形で復号することができるかどうかを決定することと、
信頼できる形で復号することができる場合は前記制御チャネルを復号することと、
信頼できる形で復号することができない場合は前記制御チャネルのためのデフォルト値を用いること、を備える請求項３０に記載の方法。
【請求項３８】
前記第１の基地局と前記通信することは、前記第１の周波数帯域の一部分において前記第１の基地局によって前記ＵＥに送信された制御チャネル又はデータチャネルを受信することを備え、前記一部分は、前記第２の周波数帯域と重なり合わない請求項３０に記載の方法。
【請求項３９】
前記第１の基地局と前記通信することは、
前記第１の周波数帯域の中央部分において前記第１の基地局によって送信された一次同期化信号（ＰＳＳ）、二次同期化信号（ＳＳＳ）、物理ブロードキャストチャネル（ＰＢＣＨ）、又はそれらの組み合わせを受信することであって、前記中央部分は、前記第２の周波数帯域と重なり合わないことと、
前記第１の周波数帯域において前記第１の基地局によって送信された物理制御フォーマットインジケータチャネル（ＰＣＦＩＣＨ）、又は物理ＨＡＲＱインジケータチャネル（ＰＨＩＣＨ）、又は両方を受信することと、
前記第１の周波数帯域において前記第１の基地局によって送信された物理ダウンリンク制御チャネル（ＰＤＣＣＨ）、又は物理ダウンリンク共有チャネル（ＰＤＳＣＨ）、又は両方を受信すること、を備える請求項３０に記載の方法。
【請求項４０】
前記第１の基地局と前記通信することは、
前記第１の周波数帯域の制御領域において前記第１の基地局に制御チャネルを送信することを備え、前記制御領域は、前記第２の周波数帯域と重なり合わないようにしている請求項３０に記載の方法。
【請求項４１】
前記第１の基地局と前記通信することは、前記第１の周波数帯域のデータ領域において前記第１の基地局にデータチャネルを送信することを備え、前記データ領域は、アップリンクにおけるデータ送信のために割り当て可能であり及び前記第２の周波数帯域と重なり合わないようにしている請求項３０に記載の方法。
【請求項４２】
前記基地局と前記通信することは、
前記第１の周波数帯域の制御領域において前記第１の基地局に物理アップリンク制御チャネル（ＰＵＣＣＨ）を送信することであって、前記制御領域は、前記第２の周波数帯域と重なり合わないようにしていることと、
前記第１の周波数帯域のデータ領域において前記第１の基地局に物理アップリンク共有チャネル（ＰＵＳＣＨ）を送信することであって、前記データ領域は、アップリンクにおけるデータ送信のために割り当て可能であり及び前記第２の周波数帯域及び前記制御領域と重なり合わないようにしていること、を備える請求項３０に記載の方法。
【請求項４３】
前記第１の周波数帯域は、前記第２の周波数帯域よりも大きい帯域幅を有しまた前記第２の周波数帯域を完全に網羅する請求項３０に記載の方法。
【請求項４４】
前記第１の基地局は、マクロ基地局であり、前記第２の基地局は、制限されたアクセスを有し及びアップリンクにおいて前記ＵＥからの高い干渉を観測するフェムト基地局である請求項３０に記載の方法。
【請求項４５】
無線通信のための装置であって、
第１の基地局のための第１の周波数帯域を示すブロードキャストされた情報を受信するための手段であって、前記第１の周波数帯域は、第２の基地局のための第２の周波数帯域と少なくとも部分的に重なり合い及び前記第２の周波数帯域を越えてさらに拡大する手段と、
ユーザ装置（ＵＥ）によって前記第１の周波数帯域において前記第１の基地局と通信するための手段と、を備える、無線通信のための装置。
【請求項４６】
前記第１の周波数帯域の中央部分において前記第１の基地局によって送信された少なくとも１つの同期化信号を受信するための手段をさらに備え、前記第２の周波数帯域は、前記第１の周波数帯域の前記中央部分と重なり合わない請求項４５に記載の装置。
【請求項４７】
前記第１の基地局と通信するための前記手段は、
前記第１の周波数において前記第１の基地局によって送信された制御チャネルのための受信されたシンボルを得るための手段と、
前記受信されたシンボルによって観測された干渉を推定するための手段と、
前記制御チャネルにおいて送信された情報を復元するために前記推定された干渉を考慮に入れることによって前記受信されたシンボルを復号するための手段と、を備える請求項４５に記載の方法。
【請求項４８】
前記第１の基地局と通信するための前記手段は、前記第１の周波数帯域の一部分において前記第１の基地局によって前記ＵＥに送信された制御チャネル又はデータチャネルを受信するための手段を備え、前記一部分は、前記第２の周波数帯域と重なり合わないようにしている請求項４５に記載の装置。
【請求項４９】
前記第１の基地局と通信するための前記手段は、
前記第１の周波数帯域の制御領域において前記第１の基地局に制御チャネルを送信するための手段であって、前記制御領域は、前記第２の周波数帯域と重なり合わないようにした手段と、
前記第１の周波数帯域のデータ領域において前記第１の基地局にデータチャネルを送信するための手段であって、前記データ領域は、アップリンクにおけるデータ送信のために割り当て可能であり及び前記第２の周波数帯域及び前記制御領域と重なり合わないようにした手段と、を備える請求項４５に記載の装置。
【請求項５０】
無線通信のための方法であって、
第１の基地局のための第１の周波数帯域を決定することであって、前記第１の周波数帯域は、第２の基地局のための第２の周波数帯域と少なくとも部分的に重なり合い、前記第２の周波数帯域は、前記第１の周波数帯域を越えて拡大することと、  
前記第１の基地局のための前記第１の周波数帯域を示す情報をブロードキャストすることと、
前記第１の基地局によって前記第１の周波数において少なくとも１つのユーザ装置（ＵＥ）と通信すること、を備える、無線通信のための方法。
【請求項５１】
前記第２の基地局のための前記第２の周波数帯域を示す情報をブロードキャストすることをさらに備える請求項５０に記載の方法。
【請求項５２】
前記第２の周波数帯域の異なる部分に関する干渉推定値を得ることと、
前記干渉推定値に基づいて前記第１の周波数帯域を選択すること、をさらに備える請求項５０に記載の方法。
【請求項５３】
前記第１の基地局を検出するためのＵＥによる使用のために前記第１の周波数帯域の中央部分において少なくとも１つの同期化信号を送信することをさらに備え、前記第１の周波数帯域は、前記少なくとも１つの同期化信号を送信するために前記第２の基地局によって用いられる前記第２の周波数帯域の中央部分と重なり合わないようにした請求項５０に記載の方法。
【請求項５４】
前記少なくとも１つのＵＥと前記通信することは、前記第１の周波数において少なくとも１つの制御チャネルを送信することを備え、前記少なくとも１つの制御チャネルは、前記第２の基地局のための前記第２の周波数帯域の一部分に対して高い干渉を引き起こす請求項５０に記載の方法。
【請求項５５】
前記第１の周波数帯域は、前記第２の周波数帯域よりも小さい帯域幅を有し及び前記第２の周波数帯域によって完全に網羅される請求項５０に記載の方法。
【請求項５６】
前記第１の基地局は、フェムト基地局であり、及び前記第２の基地局は、マクロ基地局である請求項５０に記載の方法。
【請求項５７】
無線通信のための方法であって、
第１の基地局のための第１の周波数帯域を示すブロードキャストされた情報を受信することであって、前記第１の周波数帯域は、第２の基地局のための第２の周波数帯域と少なくとも部分的に重なり合い、前記第２の周波数帯域は、前記第１の周波数帯域を越えて拡大することと、
ユーザ装置（ＵＥ）によって前記第１の周波数帯域において前記第１の基地局と通信すること、を備える、無線通信のための方法。
【請求項５８】
前記第１の周波数帯域の中央部分において前記第１の基地局によって送信された少なくとも１つの同期化信号を受信することをさらに備え、前記第１の周波数帯域は、前記少なくとも１つの同期化信号を送信するために前記第２の基地局によって用いられる前記第２の周波数帯域の中央部分と重なり合わない請求項５７に記載の方法。
【請求項５９】
前記第１の基地局と前記通信することは、前記第１の周波数帯域において前記第１の基地局によって送信された少なくとも１つの制御チャネルを受信することを備え、前記少なくとも１つの制御チャネルは、前記第２の基地局のための前記第２の周波数帯域の一部分に対して高い干渉を引き起こす請求項５７に記載の方法。
【発明の詳細な説明】
【技術分野】
【０００１】
本出願は、“SUPPORTING RESTRICTED ASSOCIATION IN LTE USING FDM”（ＦＤＭを用いるＬＴＥにおける制限された関連づけをサポートすること）という題名を有し、これの譲受人に対して譲渡され、ここにおいて引用されることによってここに組み入れられている米国仮特許出願一連番号第６１／０８０，０５６号（出願日：２００８年７月１１日）に対する優先権を主張するものである。
【０００２】
本開示は、通信一般に関するものである。本開示は、より具体的には、無線通信ネットワークにおける通信をサポートするための技術に関するものである。
【背景技術】
【０００３】
様々な通信サービス、例えば、音声、映像、パケットデータ、メッセージング、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。
【０００４】
無線通信ネットワークは、多数のユーザ装置（ＵＥ）のための通信をサポートすることが可能な多数の基地局を含むことができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。
【０００５】
基地局は、ＵＥに対してダウンリンクにおいてデータ及び制御情報を送信することができ及び／又はＵＥからアップリンクにおいてデータ及び制御情報を受信することができる。ダウンリンクにおいては、基地局からの送信は、近隣基地局からの送信に起因して干渉を観測することがある。アップリンクにおいては、ＵＥからの送信は、近隣基地局と通信中のその他のＵＥからの送信に対して干渉を引き起こすことがある。干渉は、ダウンリンク及びアップリンクの両方における性能を劣化させることがある。
【発明の概要】
【０００６】
支配的干渉シナリオ（ｄｏｍｉｎａｎｔ  ｉｎｔｅｒｆｅｒｅｎｃｅ  ｓｃｅｎａｒｉｏ）における通信をサポートするための技術がここにおいて説明される。ＵＥは、第１の基地局と通信することができ及び第２の基地局からの高い干渉を観測することがあり及び／又は第２の基地局に対して高い干渉を引き起こすことがある。第１の基地局は、マクロ基地局であることができ、及び第２の基地局は、制限されたアクセスを有するフェムト基地局であることができる。第１及び／又は第２の基地局は、その他のタイプの基地局であることもできる。
【０００７】
一態様において、支配的干渉シナリオにおける通信は、異なる周波数帯域で動作する異なる基地局を有することでサポートされることができる。一設計においては、第１の基地局は、第１の周波数帯域を用いることができ、それは、第２の基地局のための第２の周波数帯域と少なくとも部分的に重なり合うことができそして第２の周波数帯域を越えてさらに拡大することができる。第１の基地局は、第１の基地局のための第１の周波数帯域、また場合によっては（ｐｏｓｓｉｂｌｙ）第２の基地局のための第２の周波数帯域を示す情報をブロードキャストすることができる。
【０００８】
一設計においては、第１の基地局は、ダウンリンクにおける通信のために第１の周波数帯域を用いることができる。第１の基地局は、第２の周波数帯域と重なり合わないことができる第１の周波数帯域の中央部分において少なくとも１つの同期化信号及びブロードキャストチャネルを送信することができる。第１の基地局は、ＵＥが第２の基地局からの干渉なしで制御チャネルの少なくとも１つの送信を受信するのを可能にするために第１の周波数帯域において制御チャネルの複数の送信を送出することもできる。第１の基地局は、第２の周波数帯域と重なり合わない第１の周波数帯域の一部分において少なくとも１つのＵＥに制御チャネル及び／又はデータチャネルを送信することもできる。
【０００９】
他の設計においては、第１の基地局は、アップリンクにおける通信のために第１の周波数帯域を用いることができる。第１の基地局は、第２の周波数帯域と重なり合わないことができる第１の周波数帯域の制御領域において少なくとも１つのＵＥによって送信された制御チャネルを受信することができる。第１の基地局は、アップリンクにおけるデータ送信のために割り当て可能であり及び第２の周波数帯域と重なり合わないことができる第１の周波数帯域のデータ領域において少なくとも１つのＵＥによって送信されたデータチャネルを受信することもできる。制御領域は、データ領域と重なり合わないことができる。
【００１０】
本開示の様々な態様及び特徴が以下においてさらに詳細に説明される。
【図面の簡単な説明】
【００１１】
【図１】無線通信ネットワークを示した図である。
【図２】典型的なフレーム構造を示した図である。
【図３】支配的干渉シナリオにおけるダウンリンクでの通信をサポートする３つの典型的な設計を示した図である。
【図４】支配的干渉シナリオにおけるダウンリンクでの通信をサポートする３つの典型的な設計を示した図である。
【図５】支配的干渉シナリオにおけるダウンリンクでの通信をサポートする３つの典型的な設計を示した図である。
【図６】支配的干渉シナリオにおけるアップリンクでの通信をサポートする４つの典型的な設計を示した図である。
【図７】支配的干渉シナリオにおけるアップリンクでの通信をサポートする４つの典型的な設計を示した図である。
【図８】支配的干渉シナリオにおけるアップリンクでの通信をサポートする４つの典型的な設計を示した図である。
【図９】支配的干渉シナリオにおけるアップリンクでの通信をサポートする４つの典型的な設計を示した図である。
【図１０】基地局によって実行されるプロセスを示した図である。
【図１１】基地局のための装置を示した図である。
【図１２】ＵＥによって実行されるプロセスを示した図である。
【図１３】ＵＥのための装置を示した図である。
【図１４】基地局によって実行される他のプロセスを示した図である。
【図１５】基地局のための他の装置を示した図である。
【図１６】ＵＥによって実行される他のプロセスを示した図である。
【図１７】ＵＥのための他の装置を示した図である。
【図１８】基地局及びＵＥのブロック図を示した図である。
【発明を実施するための形態】
【００１２】
ここにおいて説明される技術は、様々な無線通信ネットワーク、例えば、ＣＤＭＡ、ＴＤＭＡ、ＦＤＭＡ、ＯＦＤＭＡ、ＳＣ−ＦＤＭＡ及びその他のネットワーク、に関して用いることができる。用語 “ネットワーク”及び“システム”は、しばしば互換可能な形で用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（ＷＣＤＭＡ）と、ＣＤＭＡのその他の変形と、を含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標））、等の無線技術を実装することができる。ＯＦＤＭＡネットワークは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、Ｅ−ＵＴＲＡを使用するＵＭＴＳの新しいリリース版である。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述されている。ｃｄｍａ２０００及びＵＭＢは、“第３世代パートナーシッププロジェクト２”（３ＧＰＰ２）という名称の組織からの文書において記述されている。ここにおいて説明される技術は、上述される無線ネットワーク及び無線技術、及びその他の無線ネットワーク及び無線技術のために用いることができる。明確化のために、これらの技術の幾つかの態様は、ＬＴＥに関して以下において説明されており、以下の説明の多くの部分においてはＬＴＥ用語が用いられる。
【００１３】
図１は、ＬＴＥネットワークであることができる無線通信ネットワーク１００を示す。無線ネットワーク１００は、幾つかのエボルブドノードＢ（ｅＮＢ）１１０と、その他のネットワークエンティティと、を含むことができる。ｅＮＢは、ＵＥと通信する局であることができ及び基地局、ノードＢ、アクセスポイント、等と呼ぶこともできる。各ｅＮＢ１００は、特定の地理上のエリアのための通信カバレッジを提供することができる。３ＧＰＰにおいては、用語“セル”は、その用語が用いられる文脈に依存して、カバレッジエリア（適用範囲地域）にサービスを提供するｅＮＢ及び／又はｅＮＢサブシステムのこのカバレッジエリアを意味することができる。
【００１４】
ｅＮＢは、マクロセル、ピコセル、フェムトセル、及び／又はその他のタイプのセルのための通信適用範囲（通信カバレッジ）を提供することができる。マクロセルは、相対的に大きい地理上のエリア（例えば、半径数キロメートル）を網羅することができ及びサービス加入契約を有するＵＥによる無制限のアクセスを許可することができる。ピコセルは、相対的に小さい地理上のエリアを網羅することができ及びサービス加入契約を有するＵＥによる無制限のアクセスを許可することができる。フェムトセルは、相対的に小さい地理上のエリア（例えば、自宅）を網羅することができ及びフェムトセルとの関連づけを有するＵＥ（例えば、クローズド加入者グループ（Ｃｌｏｓｅｄ  Ｓｕｂｓｃｒｉｂｅｒ  Ｇｒｏｕｐ（ＣＳＧ）内のＵＥ、自宅内のユーザのためのＵＥ、等）による制限されたアクセスを許可することができる。マクロセルのためのｅＮＢは、マクロｅＮＢと呼ぶことができる。ピコセルのためのｅＮＢは、ピコｅＮＢと呼ぶことができる。フェムトセルのためのｅＮＢは、フェムトｅＮＢ又はホームｅＮＢと呼ぶことができる。図１に示される例においては、ｅＮＢ１１０ａ、１１０ｂ及び１１０ｃは、マクロセル１０２ａ、１０２ｂ及び１０２ｃのそれぞれのためのマクロｅＮＢであることができる。ｅＮＢ１１０ｘは、ピコセル１０２ｘのためのピコｅＮＢであることができる。ｅＮＢ１１０ｙ及び１００ｚは、それぞれフェムトセル１０２ｙ及び１０２ｚのためのフェムトｅＮＢであることができる。ｅＮＢは、１つ又は複数の（例えば、３つの）セルをサポートすることができる。
【００１５】
無線ネットワーク１００は、中継局を含むこともできる。中継局は、上流局（例えば、ｅＮＢ又はＥＵ）からのデータ及び／又はその他の情報の送信を受信し及びそのデータ及び／又はその他の情報の送信を下流局（例えば、ＵＥ又はｅＮＢ）に送信する局である。中継局は、その他のＵＥのために送信を中継するＵＥであることもできる。図１に示される例においては、中継局１１０ｒは、ｅＮＢ１１０ａとＵＥ１２０ｒとの間の通信を容易にするためにｅＮＢ１１０ａ及びＥＵ１２０ｒと通信することができる。中継局は、中継ｅＮＢ、リレー、等と呼ぶこともできる。
【００１６】
無線ネットワーク１００は、異なるタイプのｅＮＢ、例えば、マクロｅＮＢ、ピコｅＮＢ、フェムトｅＮＢ、リレー、等、を含む異種ネットワークであることができる。これらの異なるタイプのｅＮＢは、無線ネットワーク１００において異なる送信電力レベル、異なるカバレッジエリアを有することができ、また干渉については異なる影響を有することができる。例えば、マクロｅＮＢは、高い送信電力レベル（例えば、２０ワット）を有することができ、他方、ピコｅＮＢ、フェムトｅＮＢ及びリレーは、それよりも低い送信電力レベル（例えば、１ワット）を有することができる。
【００１７】
無線ネットワーク１００は、同期又は非同期の動作をサポートすることができる。同期の動作に関しては、ｅＮＢは、同様のフレームタイミングを有することができ、及び異なるｅＮＢからの送信は、時間の点でほぼ整合させることができる。非同期動作に関しては、ｅＮＢは、異なるフレームタイミングを有することができ、及び異なるｅＮＢからの送信は、時間的に整合させることができないことがある。ここにおいて説明される技術は、同期及び非同期の両方の動作のために用いることができる。
【００１８】
ネットワークコントローラ１３０は、一組のｅＮＢに結合すること及びこれらのｅＮＢのための調整及び制御を提供することができる。ネットワークコントローラ１３０は、バックホールを介してｅＮＢ１１０と通信することができる。ｅＮＢ１１０は、例えば、無線又は有線のバックホールを介して直接又は間接的に互いに通信することもできる。
【００１９】
ＵＥ１２０は、無線ネットワーク１００全体に分散させることができ、及び各ＵＥは静止型又は移動型であることができる。ＵＥは、端末、移動局、加入者ユニット、局、等と呼ぶこともできる。ＵＥは、携帯電話、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、等であることができる。ＵＥは、マクロｅＮＢ、ピコｅＮＢ、フェムトｅＮＢ、リレー、等と通信することができる。図１において、２つ矢印を有する実線は、ＵＥとダウンリンク及び／又はアップリンクにおいてＵＥにサービスを提供するために指定されたｅＮＢであるサービス提供ｅＮＢとの間における希望される送信を示す。２つの矢印を有するダッシュ線は、ＵＥとｅＮＢとの間における干渉する送信を示す。
【００２０】
ＬＴＥは、ダウンリンクにおいては直交周波数分割多重（ＯＦＤＭ）及びアップリンクにおいては単一搬送波周波数分割多重（ＳＣ−ＦＤＭ）を利用する。ＯＦＤＭ及びＳＣ−ＦＤＭは、システム帯域幅を複数（Ｋ）の直交副搬送波に分割し、それらは、トーン、ビン、等と共通して呼ばれることもある。各副搬送波は、データとともに変調することができる。概して、変調シンボルは、ＯＦＤＭの場合は周波数領域において及びＳＣ−ＦＤＭの場合は時間領域において送信される。隣接する副搬送波間の間隔は、固定することができ、及び副搬送波の総数（Ｋ）はシステム帯域幅に依存することができる。例えば、Ｋは、１．２５、２．５、５、１０又は２０メガヘルツ（ＭＨｚ）のシステム帯域幅に関してはそれぞれ１２８、２５６、５１２、１０２４又は２０４８に等しいことができる。システム帯域幅は、サブバンドに分割することもできる。例えば、サブバンドは、１．０８ＭＨｚを網羅することができ、１．２５、２．５、５、１０又は２０ＭＨｚのシステム帯域幅に関してはそれぞれ１、２、４、８又は１６のサブバンドが存在することができる。
【００２１】
図２は、ＬＴＥにおいて用いられるフレーム構造を示す。ダウンリンクに関する送信タイムラインは、無線フレームの単位に分割することができる。各無線フレームは、予め決められた継続時間（例えば、１０ミリ秒（ｍｓ））を有することができ及び０乃至９のインデックスを有する１０のサブフレームに分割することができる。各サブフレームは、２つのスロットを含むことができる。従って、各無線フレームは、０乃至１９のインデックスを有する２０のスロットを含むことができる。各スロットは、Ｌのシンボル期間を含むことができ、例えば、（図２に示されるように）通常のサイクリックプリフィックスに関してはＬ＝７のシンボル期間、拡張されたサイクリックプリフィックスに関してはＬ＝６のシンボル期間を含むことができる。各サブフレーム内の２Ｌのシンボル期間には０乃至２Ｌ−１のインデックスを割り当てることができる。利用可能な時間周波数リソースは、リソースブロックに分割することができる。各リソースブロックは、１つのスロットにおいてＮの副搬送波（例えば、１２の副搬送波）を網羅することができる。
【００２２】
ＬＴＥにおいては、ｅＮＢは、ｅＮＢ内の各セルのために一次同期化信号（ＰＳＳ）及び二次同期化信号（ＳＳＳ）を送信することができる。１次及び二次同期化信号は、図２に示されるように、通常のサイクリックプリフィックスを有する各無線フレームのサブフレーム０乃至５の各々において、シンボル期間６及び５においてそれぞれ送信することができる。同期化信号は、セルの検出及び取得のためにＵＥによって用いることができる。ｅＮＢは、サブフレーム０のスロット１においてシンボル期間０乃至３において物理ブロードキャストチャネル（ＰＢＣＨ）を送信することができる。ＰＢＣＨは、ある一定のシステム情報を搬送することができる。
【００２３】
ｅＮＢは、図２に示されるように、各サブフレームの第１のシンボル期間において物理制御フォーマットインジケータチャネル（ＰＣＦＩＣＨ）を送信することができる。ＰＣＦＩＣＨは、制御チャネルのために用いられるシンボル期間の数（Ｍ）を搬送することができ、ここで、Ｍは、１、２又は３に等しいことができ及びサブフレームごとに変わることができる。Ｍは、例えば、１０未満のリソースブロックを有する小さいシステム帯域幅に関しては４に等しくすることもできる。ｅＮＢは、（図２に示されない）各サブフレームの最初のＭのシンボル期間において物理ＨＡＲＱインジケータチャネル（ＰＨＩＣＨ）及び物理ダウンリンク制御チャネル（ＰＤＣＣＨ）を送信することができる。ＰＨＩＣＨは、ハイブリッド自動再送（ＨＡＲＱ）をサポートするための情報を搬送することができる。ＰＤＣＣＨは、ＵＥのためのリソース割り当てに関する情報及びダウンリンクチャネルのための制御情報を搬送することができる。ｅＮＢは、各サブフレームの残りのシンボル期間において物理ダウンリンク共有チャネル（ＰＤＳＣＨ）を送信することができる。ＰＤＳＣＨは、ダウンリンクにおけるデータ送信のためにスケジューリングされたＵＥのためのデータを搬送することができる。ＬＴＥにおける様々な信号及びチャネルが、公に入手可能である、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  Ａｎｄ  Ｍｏｄｕｌａｔｉｏｎ）”（エボルブドユニバーサル地上無線アクセス（Ｅ−ＵＴＲＡ）；物理チャネル及び変調）という題名の３ＧＰＰ  ＴＳ  ３６．２１１において説明されている。
【００２４】
ｅＮＢは、ｅＮＢによって用いられるシステム帯域幅の中央の１．０８ＭＨｚにおいてＰＳＳ、ＳＳＳ及びＰＢＣＨを送信することができる。ｅＮＢは、ＰＣＦＩＣＨ及びＰＨＩＣＨが送信される各シンボル期間におけるシステム帯域幅全体でこれらのチャネルを送信することができる。ｅＮＢは、システム帯域幅の一定の部分においてＵＥのグループにＰＤＣＣＨを送信することができる。ｅＮＢは、システム帯域幅の特定の部分において特定のＵＥにＰＤＳＣＨを送信することができる。ｅＮＢは、すべてのＵＥに対してブロードキャスト方式でＰＳＳ、ＳＳＳ、ＰＢＣＨ、ＰＣＦＩＣＨ及びＰＨＩＣＨを送信することができ、特定のＵＥに対してユニキャスト方式でＰＤＣＣＨを送信することができ、及び特定のＵＥに対してユニキャスト方式でＰＤＳＣＨを送信することもできる。
【００２５】
各シンボル期間において幾つかのリソース要素を利用可能である。各リソース要素は、１つのシンボル期間において１つの副搬送波を網羅することができ及び実数値又は複素値であることができる１つの変調シンボルを送信するために用いることができる。各シンボル期間において基準信号のために用いられないリソース要素は、リソース要素グループ（ＲＥＧ）内に配置することができる。各ＲＥＧは、１つのシンボル期間に４つのリソース要素を含むことができる。ＰＣＦＩＣＨは、４つのＲＥＧを占有することができ、それらは、シンボル期間０において周波数全体にわたってほぼ等間隔で配置することができる。ＰＨＩＣＨは、１つ以上の設定可能なシンボル期間において３つのＲＥＧを占有することができ、それらは、周波数全体にわたって拡散させることができる。例えば、ＰＨＩＣＨのための３つのＲＥＧは、すべてシンボル期間０に属することができ又はシンボル期間０、１及び２において拡散することができる。ＰＤＣＣＨは、最初のＭのシンボル期間において９、１８、３２又は６４のＲＥＧを占有することができ、それらは、利用可能なＲＥＧから選択することができる。ＲＥＧの一定の組み合わせのみをＰＤＣＣＨに関して許容することができる。
【００２６】
ＵＥは、ＰＨＩＣＨ及びＰＣＦＩＣＨのために用いられる特定のＲＥＧを知ることができる。ＵＥは、ＰＤＣＣＨのためにＲＥＧの異なる組み合わせを探索することができる。探索すべき組み合わせの数は、ＰＤＣＣＨのための許容される組み合わせの数よりも典型的には少ない。ｅＮＢは、ＵＥが探索する組み合わせのうちのいずれかにおいてＵＥに対してＰＤＣＣＨを送信することができる。
【００２７】
ＵＥは、複数のｅＮＢのカバレッジ内に存在することができる。ＵＥにサービスを提供するためにこれらのｅＮＢのうちの１つを選択することができる。サービスを提供するｅＮＢは、様々な判定基準、例えば、受信された電力、経路損失、信号対雑音比（ＳＮＲ）、等に、基づいて選択することができる。
【００２８】
ＵＥは、ＵＥが１つ以上の干渉中のｅＮＢからの高い干渉を観測することがある支配的干渉シナリオにおいて動作することができる。支配的干渉シナリオは、制限された関連づけに起因して生じる可能性がある。例えば、図１において、ＵＥ１２０ｙは、フェムトｅＮＢ１１０ｙに近づけることができ及びｅＮＢ１１０ｙのために高い受信された電力を有することができる。しかしながら、ＵＥ１２０ｙは、制限された関連づけに起因してフェムトｅＮＢ１１０ｙにアクセスできないことがありこのため（図１に示されるように）より低い受信された電力を有するマクロｅＮＢ１１０ｃに又は同じくより低い受信された電力を有するフェムトｅＮＢ１１０ｚ（図１に示されていない）に接続することができる。このため、ＵＥ１２０ｙは、ダウンリンクにおいてはフェムトｅＮＢ１１０ｙからの高い干渉を観測するとこがあり及びアップリンクにおいてはｅＮＢ１１０ｙに対して高い干渉を引き起こすこともある。
【００２９】
支配的干渉シナリオは、範囲の拡大に起因して生じることもあり、それは、ＵＥがＵＥによって検出されたすべてのｅＮＢの間でより低い経路損失及びより低いＳＮＲを有するｅＮＢに接続するシナリオである。例えば、図１において、ＵＥ１２０ｘは、マクロｅＮＢ１１０ｂ及びピコｅＮＢ１１０ｘを検出することができ及びｅＮＢ１１０ｂに関してよりも低い受信された電力をｅＮＢ１１０ｘのために有することができる。しかしながら、ｅＮＢ１１０ｘに関する経路損失がマクロｅＮＢ１１０ｂに関する経路損失よりも低い場合にＵＥ１２０ｘがピコｅＮＢ１１０ｘに接続することが望ましいことがある。この結果、ＵＥ１２０ｘのための所定のデータレートに関してより小さい干渉が無線ネットワークに対して発生することができる。
【００３０】
一態様においては、支配的干渉シナリオにおける通信は、異なるｅＮＢを異なる周波数帯域において動作させることによってサポートすることができる。周波数帯域は、通信のために用いることができる周波数の範囲であり及び（ｉ）中心周波数及び帯域幅又は（ｉｉ）より低い周波数及びより高い周波数によって与えることができる。周波数帯域は、帯域、周波数チャネル、等と呼ぶこともできる。異なるｅＮＢのための周波数帯域は、強いｅＮＢがそのＵＥと通信することを可能にする一方でＵＥが支配的干渉シナリオにおいてより弱いｅＮＢと通信するように選択することができる。ｅＮＢは、ＵＥにおけるｅＮＢの受信された電力に基づいて（及びｅＮＢの送信電力レベルに基づかないで）“弱い”ｅＮＢ又は“強い”ｅＮＢとして分類することができる。
【００３１】
図３は、支配的干渉シナリオにおける３つのｅＮＢ１、２及び３による通信をサポートする設計を示す。（図３に示されるように）制限された関連づけのシナリオに関しては、ｅＮＢ１は、弱いマクロｅＮＢ（例えば、図１におけるｅＮＢ１１０ｃ）であることができ、ｅＮＢ２及び３は、互いの範囲内に存在することができる２つの強いフェムトｅＮＢ（例えば、図１におけるｅＮＢ１１０ｙ及び１１０ｚ）であることができる。（図３に示されていない）範囲拡大シナリオに関しては、ｅＮＢ１は、強いマクロｅＮＢであることができ、及びｅＮＢ２及び３は、互いの範囲内に存在することができる２つのより弱いｅＮＢ（例えば、ピコｅＮＢ、フェムトｅＮＢ、及び／又はリレー）であることができる。
【００３２】
ｅＮＢ１は、適切な中心周波数及び帯域幅を有することができる帯域１において動作することができる。ｅＮＢ２は、帯域１よりも小さい帯域幅を有することができ及び帯域１によって完全に網羅することができる帯域２において動作することができる。ｅＮＢ３は、同じく帯域１よりも小さい帯域幅を有することができ及び帯域１によって完全に網羅することができる帯域３において動作することができる。帯域３は、帯域２と重なり合わないことができ、このため、強いｅＮＢ２及び３は、互いに干渉することを回避することができる。
【００３３】
ｅＮＢ１は、サブバンドｘとして表される帯域１の中央の１．０８ＭＨｚにおいてそのＰＳＳ、ＳＳＳ及びＰＢＣＨを送信することができる。帯域２及び３は、サブバンドｘと重なり合わないことができ、このため、強いｅＮＢ２及び３は、より弱いｅＮＢ１のＰＳＳ、ＳＳＳ及びＰＢＣＨに対して高い干渉を引き起こすことを回避することができる。より弱いｅＮＢ１は、以下において説明されるように、強いｅＮＢ２及び／又はｅＮＢ３からの帯域２及び／又は帯域３における高い干渉が存在する状態においてさえもＵＥによるそのＰＣＦＩＣＨ、ＰＨＩＣＨ、ＰＤＣＣＨ及びＰＤＳＣＨの信頼できる形での受信を可能にするような方法でこれらのチャネルを送信することができる。ｅＮＢ２は、サブバンドｙとして表される帯域２の中央の１．０８ＭＨｚにおいてそのＰＳＳ、ＳＳＳ及びＰＢＣＨを送信することができる。帯域２は、サブバンドｙのみを含むことができ又は追加の帯域幅を含むことができる。ｅＮＢ３は、サブバンドｚとして表される帯域３の中央の１．０８ＭＨｚにおいてそのＰＳＳ、ＳＳＳ及びＰＢＣＨを送信することができる。帯域３は、サブバンドｚのみを含むことができ又は追加の帯域幅を含むことができる。
【００３４】
図４は、支配的干渉シナリオにおける３つのｅＮＢ１、２及び３による通信をサポートする他の設計を示す。ｅＮＢ１は、適切な中心周波数及び帯域幅を有することができる帯域１において動作することができる。ｅＮＢ２は、帯域１と部分的に重なり合うことができ及び帯域１と同じ又は異なる帯域幅を有することができる帯域２において動作することができる。ｅＮＢ３は、帯域１と部分的に重なり合うこともでき及び帯域１と同じ又は異なる帯域幅を有することができる帯域３において動作することができる。帯域３は、帯域２と重なり合わないことができ、このため、強いｅＮＢ２及び３は互いに対して干渉することを回避することができる。
【００３５】
ｅＮＢ１は、帯域１の中央の１．０８ＭＨｚであることができるサブバンドｘにおいてそのＰＳＳ、ＳＳＳ及びＰＢＣＨを送信することができる。帯域２及び３は、より弱いｅＮＢ１のＰＳＳ、ＳＳＳ及びＰＢＣＨに対して高い干渉を引き起こすことを回避するためにサブバンドｘと重なり合わないことができる。より弱いｅＮＢ１は、そのＵＥよるそのＰＣＦＩＣＨ、ＰＨＩＣＨ、ＰＤＣＣＨ及びＰＤＳＣＨの信頼できる形での受信を可能にする方法でこれらのチャネルを送信することができる。ｅＮＢ２は、帯域２の中央の１．０８ＭＨｚであることができるサブバンドｙにおいてそのＰＳＳ、ＳＳＳ及びＰＢＣＨを送信することができる。ｅＮＢ３は、帯域３の中央の１．０８ＭＨｚであるサブバンドｚにおいてそのＰＳＳ、ＳＳＳ及びＰＢＣＨを送信することができる。
【００３６】
図３及び４は、支配的干渉シナリオにおける通信をサポートする２つの典型的な設計を示す。弱い及び強いｅＮＢには、その他の方法で帯域を割り当てることもできる。概して、強いｅＮＢは、より弱いｅＮＢによって用いられる帯域の一部分のみと重なり合うことができ及びそのＰＳＳ、ＳＳＳ及びＰＢＣＨを送信するためにより弱いｅＮＢによって用いられる中央のサブバンドをさらに回避することができる。互いの範囲内の強いｅＮＢは、互いに対して高い干渉を引き起こすことを回避するために異なる重なり合わない帯域において動作することができる。
【００３７】
図５は、支配的干渉シナリオにおける３つのｅＮＢ１、２及び３による通信をサポートするさらに他の設計を示す。ｅＮＢ１は、５ＭＨｚの帯域幅を有することができる帯域１において動作することができる。ｅＮＢ１は、帯域１の中央の１．０８ＭＨｚであることができるサブバンドｘにおいてそのＰＳＳ、ＳＳＳ及びＰＢＣＨを送信することができる。ｅＮＢ２は、１．０８ＭＨｚの帯域幅を有することができ及びサブバンドｘの高い側に隣接することができるサブバンド２において動作することができる。ｅＮＢ３は、１．０８ＭＨｚの帯域幅を有することができ及びサブバンドｘの低い側に隣接することができる帯域３において動作することができる。従って、帯域３は、帯域２と重なり合わないことができる。
【００３８】
図５に示される例において、ｅＮＢ１、２及び３は、非同期的であることができ及び異なるフレームタイミングを有することができる。ｅＮＢ１は、時間Ｔ１におけるそのサブフレーム０の開始を有することができ、ｅＮＢ２は、時間Ｔ２おけるそのサブフレーム０の開始を有することができ、及びｅＮＢ３は、時間Ｔ３におけるそのサブフレーム０の開始を有することができる。Ｔ１、Ｔ２及びＴ３は、異なる開始時間であることができる。
【００３９】
図５は、より弱いｅＮＢ１が５．０ＭＨｚの帯域において動作し、強いｅＮＢ２及び３が１．０８ＭＨｚの異なる帯域において動作する典型的な設計を示す。この設計においては、強いｅＮＢのために利用可能なより小さい帯域の数は、システム帯域幅に依存することができる。例えば、１０ＭＨｚのシステム帯域幅のために最大で８つのより小さい帯域を利用可能であることができ、２０ＭＨｚのシステム帯域幅のために最大で１６のより小さい帯域を利用可能であることができる。より小さい帯域は、ＬＴＥによってサポートされる最小の帯域幅に対応する１．０８ＭＨｚの最小の帯域幅を有することができる。概して、より小さい帯域は、あらゆる適切な固定された又は設定可能な帯域幅を有することができる。
【００４０】
図５に示されるように、より弱いｅＮＢ１は、指定されたシンボル期間に中央の１．０８ＭＨｚにおいてそのＰＳＳ、ＳＳＳ及びＰＢＣＨを送信することができる。より弱いｅＮＢ１からのＰＳＳ、ＳＳＳ及びＰＢＣＨは、強いｅＮＢ２及び３からの干渉を回避することができ、及びｅＮＢ２及び３のカバレッジ内に所在することができるがｅＮＢ２及び３にアクセスすることができないことがある不利な状況にあるＵＥによってさえも検出可能である。より弱いｅＮＢ１は、各サブフレームの最初のＭのシンボル期間に帯域１全体においてそのＰＣＦＩＣＨ及びＰＨＩＣＨを送信することもでき、ここで、Ｍは、サブフレームごとに変わることができる。より弱いｅＮＢ１からのＰＣＦＩＣＨ及びＰＨＩＣＨは、強いｅＮＢ２及び／又は３からの干渉を観測することがあるが不利な状況にあるＵＥによる受信を可能にするために以下において説明されるように送信することができる。
【００４１】
強いｅＮＢ２は、指定されたシンボル期間に帯域２全体においてそのＰＳＳ、ＳＳＳ、ＰＢＣＨ、ＰＣＦＩＣＨ、ＰＨＩＣＨ及びＰＤＣＣＨを送信することができる。強いｅＮＢ２からの送信は、より弱いｅＮＢ１からの何らかの干渉を観測することがあり及び強いｅＮＢ３からの干渉を回避することができる。これらの送信は、ｅＮＢ２のカバレッジ内のＵＥによって信頼できる形で受信することができる。同様に、強いｅＮＢ３は、指定されたシンボル期間に帯域３全体においてそのＰＳＳ、ＳＳＳ、ＰＢＣＨ、ＰＣＦＩＣＨ及びＰＨＩＣＨを送信することができる。強いｅＮＢ３からの送信は、より弱いｅＮＢ１からの何らかの干渉を観測することがあり及び強いｅＮＢ２からの干渉を回避することができる。これらの送信は、ｅＮＢ３のカバレッジ内のＵＥによって信頼できる形で受信することができる。
【００４２】
強いｅＮＢ２及び３のカバレッジ内にあり及びこれらのＵＥにアクセスすることが許容されたＵＥは、通常の方法で動作することができる。例えば、ＵＥは、ＵＥにとってのホームｅＮＢであることができる強いｅＮＢ２と通信することを希望することができる。ＵＥは、ＵＥがアクセスすることができない他のフェムトｅＮＢであることができる強いｅＮＢ３のカバレッジ内に存在することができる。ｅＮＢ３は、ＵＥに対する支配的な干渉体として動作することがある。ｅＮＢ２及び３は、ＵＥがｅＮＢ２と通信することを可能にするために異なる帯域で動作することができる。ｅＮＢ２及び３が同じ帯域で動作する場合は、ＵＥは、ｅＮＢ３からの高い干渉に起因してｅＮＢ２と通信することができないことがある。
【００４３】
より弱いｅＮＢ１は、強いｅＮＢ２及び／又は３のカバレッジ内に所在するがｅＮＢ１に接続されている不利な状況にあるＵＥによる信頼できる形での受信を可能にする方法で、そのＰＣＦＩＣＨ、ＰＨＩＣＨ、ＰＤＣＣＨ及びＰＤＳＣＨを送信することができる。より弱いｅＮＢ１は、周波数全体にわたって１．０８ＭＨｚごとに繰り返すことによって各サブフレームの第１のシンボル期間においてＰＣＦＩＣＨを送信することができる。図５に示される典型的な設計においては、より弱いｅＮＢ１は、５ＭＨｚの帯域１においてＰＣＦＩＣＨの４つの送信を送出することができる。１つの強いｅＮＢ（例えば、ｅＮＢ２又は３）からの１つの１．０８ＭＨｚ帯域のみにおいて高い干渉が観測される場合は、不利な状況にあるＵＥは、この強いｅＮＢからの高い干渉なしにＰＣＦＩＣＨの３つの“様子” （ｌｏｏｋ）を受信することができる。各様子は、送信のために用いられる帯域幅の１つの１．０８ＭＨｚ部分において送信されたＰＣＦＩＣＨの１つの送信に対応することができる。不利な状況にあるＵＥは、以下において説明されるようにＰＣＦＩＣＨを信頼できる形で復号することができる。他の設計においては、より弱いｅＮＢ１は、ＰＣＦＩＣＨは幾つかの不利な状況にあるＵＥによっては信頼できる形で受信することができないとそれが決定した場合はＰＣＦＩＣＨを固定されたデフォルト値（例えば、Ｍ＝３）に設定することができる。これで、より弱いｅＮＢ１は、ＰＣＦＩＣＨのためのデフォルト値に従ってＰＨＩＣＨ及びＰＤＣＣＨを送信することができる。
【００４４】
より弱いｅＮＢ１は、周波数にわたって３回繰り返すことによって各サブフレームの最初のＭのシンボル期間においてＰＨＩＣＨを送信することができる。図５に示される典型的な設計においては、１つの強いｅＮＢからの１つの１．０８ＭＨｚ帯域のみにおいて高い干渉が観測される場合は、不利な状況にあるＵＥは、この強いｅＮＢからの高い干渉なしにＰＨＩＣＨの少なくとも１つの様子を受信することができる。不利な状況にあるＵＥは、以下において説明されるようにＰＨＩＣＨを信頼できる形で復号することができる。
【００４５】
より弱いｅＮＢ１は、各サブフレームの最初のＭのシンボル期間において特定のリソース要素グループ（ＲＥＧ）内のＰＤＣＣＨを送信することができる。一設計においては、より弱いｅＮＢ１は、その他のｅＮＢからのより低い干渉を有するＲＥＧ、例えば、各々の強いｅＮＢによって用いられる帯域の外側にあるＲＥＧ、を選択することができる。他の設計においては、ｅＮＢ１は、高い干渉を有するＲＥＧの最小の数を含むようにＵＥ探索空間においてＲＥＧを選択することができる。いずれの場合においても、より弱いｅＮＢ１は、不利な状況にあるＵＥに対して選択されたＲＥＧにおいてＰＤＣＣＨを送信することができる。各ＵＥは、そのＵＥに対してＰＤＣＣＨにおいて送信された送信の有無を検出するために異なる可能性のあるＲＥＧを処理することができる。
【００４６】
より弱いｅＮＢ１は、そのｅＮＢによってサービスが提供される特定のＵＥにＰＤＳＣＨを送信することができる。より弱いｅＮＢ１は、低い干渉を観測することが予想されるリソースブロックにおいて、例えば各々の強いｅＮＢによって用いられる帯域の外側のリソースブロックにおいて、不利な状況にあるＵＥをスケジューリングすることができる。従って、不利な状況にあるＵＥは、強いｅＮＢによって用いられる各帯域内の高い干渉に起因する起こり得る性能の損失を念頭に置くことによってスケジューリングすることができる。より弱いｅＮＢ１は、不利な状況にあるＵＥのためにより低い変調及び符号化方式を用いることもできる。
【００４７】
より弱いｅＮＢ１は、高い干渉を回避するために選択されたリソースにおいてＰＤＣＣＨ及びＰＤＳＣＨを送信することができる。より弱いｅＮＢ１は、不利な状況にあるＵＥによる受信を向上させる方法でＰＣＦＩＣＨ、ＰＨＩＣＨ、ＰＤＣＣＨ及び／又はＰＤＳＣＨを送信することもできる。一設計においては、より弱いｅＮＢ１は、不利な状況にあるＵＥに送信された所定のチャネル（ＰＨＩＣＨ、ＰＤＣＣＨ、等）の送信電力を増大させることができる。より弱いｅＮＢ１は、チャネルにおいて送信されるすべての変調シンボルの送信電力を均一に増大させることができる。代替として、より弱いｅＮＢ１は、高い干渉を観測することが予想される変調シンボルの送信電力を低下又は無効化（ｂｌａｎｋ）させることができ及び低い干渉を観測することが予想される変調シンボルの送信電力を増大させることができる。これは、高い干渉を認識しているＵＥにとって有益であることができる。より弱いｅＮＢ１は、高い干渉を観測することが予想されるシンボルの送信電力を増大させることもでき、それは、高い干渉を認識していないＵＥにとって有益であることができる。より弱いｅＮＢ１は、その他の方法でチャネルにおいて送信されるシンボル全体に利用可能な送信電力を分散させることもできる。より弱いｅＮＢ１は、ＵＥに知らせることなしにチャネルの送信電力を増大させることができる。代替として、より弱いｅＮＢ１は、チャネルに対して適用された送信電力の増大をＵＥに知らせることができる。他の設計においては、より弱いｅＮＢ１は、かなりの数の変調シンボルが高い干渉を観測することがあるチャネルのためにより低い符号レート及び／又はより低い変調次数（ｍｏｄｕｌａｔｉｏｎ  ｏｒｄｅｒ）を用いることができる。より弱いｅＮＢ１は、高い干渉を観測することがある変調シンボルの割合の推定値に基づいて符号レート及び／又は変調次数を選択することができる。さらに他の設計においては、より弱いｅＮＢ１は、不利な状況にあるＵＥに送信されるチャネルのためにより多くのＲＥＧを選択することができる。例えば、より弱いｅＮＢ１は、チャネルの受信を向上させるために９つのＲＥＧの代わりに１８のＲＥＧにおいてチャネルを送信することができる。不利な状況にあるＵＥによるチャネルの信頼できる形での受信を保証するために上記の設計の組み合わせを用いることもできる。
【００４８】
テーブル１は、ＰＳＳ、ＳＳＳ、ＰＢＣＨ、ＰＣＦＩＣＨ、ＰＨＩＣＨ、ＰＤＣＣＨ及びＰＤＳＣＨの信頼できる形での受信を保証する方法でのより弱いｅＮＢ１によるこれらの信号及びチャネルの送信を要約する。
【表１】
2011527877.tif 000003
【００４９】
各ｅＮＢは、そのｅＮＢ内の各セルのための各セル専用の基準信号を送信することができる。各セル専用の基準信号は、既知のシーケンスに基づいて生成することができ及び各サブフレームの特定のシンボル期間において特定の副搬送波で送信することができる。各セル専用の基準信号は、チャネル推定、信号品質推定、干渉推定、及びその他の目的のために用いることができる。例えば、ＵＥは、各セル専用の基準信号に基づいてチャネル推定値を導き出すことができ及びＰＨＩＣＨ、ＰＤＣＣＨ、ＰＤＳＣＨ、等を復号するためにチャネル推定値を用いることができる。
【００５０】
不利な状況にあるＵＥは、帯域１においてより弱いｅＮＢ１と通信することができ及び帯域２及び３においてｅＮＢ２及び３からの干渉を観測することがある。ＵＥには、例えば、より弱いｅＮＢ１、ネットワーク、等によって、近隣のｅＮＢの帯域を知らせることができる。
【００５１】
不利な状況にあるＵＥは、各シンボル期間においてより弱いｅＮＢ１のための帯域１内の全副搬送波から受信されたシンボルを得ることができる。幾つかの受信されたシンボルは、１つ以上の強いｅＮＢからの高い干渉を有することがあり、他方、その他の受信されたシンボルは、その他のｅＮＢからの低い干渉を有することがある。ＵＥは、その他のｅＮＢの帯域との部分的な重なり合いに起因する帯域１全体における干渉の変動を考慮に入れることによって干渉を推定することができる。例えば、ＵＥは、干渉推定値の品質を向上させるために周波数全体における干渉推定値の平均を得ることができる。ＵＥは、異なる干渉レベルを有する帯域１の異なる部分に関して別々に平均を得ること、例えば、より小さい干渉を有する第２の部分とは別々により高い干渉を有する第１の部分の平均を得ることができる。
【００５２】
制御領域及びデータ領域は、異なる干渉量を観測することができる。例えば、フェムトｅＮＢは、帯域の一部を占有することができ、マクロｅＮＢは、帯域全体を占有することができ、及びフェムト及びマクロｅＮＢのタイミングを整合させることができる。フェムトｅＮＢは、軽い負荷をもたらされる（ｌｏａｄｅｄ）ことができる（例えば、送信すべきデータを有しないようにすることができる及び／又は帯域の一部のみにおいてデータを送信するようにすることができる）が、制御情報については送信することができる。ＵＥは、フェムトｅＮＢにアクセスすることができないことがあり、マクロｅＮＢに接続するのを試みることができ、またフェムトｅＮＢによって占有された帯域内のデータ領域及び制御領域において異なる干渉レベルを観測することがある。ＵＥは、各領域において受信された基準信号に基づいてその領域に関する干渉を推定することができる。
【００５３】
不利な状況にあるＵＥは、ＵＥによって観測された干渉を考慮に入れることによってより弱いｅＮＢ１によって帯域全体において送信されたＰＣＦＩＣＨ及びＰＨＩＣＨを復号することができる。第１の設計においては、不利な状況にあるＵＥは、高い干渉を有する受信されたシンボルを廃棄することができ及び低い干渉を有する廃棄されない受信されたシンボルに基づいてＰＣＦＩＣＨ及びＰＨＩＣＨを復号することができる。例えば、ＵＥは、１つ以上の受信されたシンボルの各組にとっての干渉の量を推定し、高いスレショルドを超える干渉を有する受信されたシンボルの各組を廃棄し、及び高いスレショルドを下回る干渉を有する受信されたシンボルの各組を用いることができる。これで、強いｅＮＢからの高い干渉は、不利な状況にあるＵＥにおいて幾つかの受信されたシンボルをパンクチャリング又は削除することができる。第２の設計においては、不利な状況にあるＵＥは、すべての受信されたシンボルを復号のために用いることができるが、復号プロセスにおいて高い干渉を有する受信されたシンボルにより低い重みを与えることができる。第３の設計においては、不利な状況にあるＵＥは、高い干渉を有する受信されたシンボルにおける干渉を推定及び除去することができる。これで、ＵＥは、干渉の除去後に、これらの受信されたシンボルを復号のために用いることができる。不利な状況にあるＵＥは、その他の方法で幾つかの受信されたシンボルによって観測された高い干渉を考慮に入れることによって復号を行うこともできる。
【００５４】
図５に示される典型的な設計に関して、不利な状況にあるＵＥは、１つの強いｅＮＢからの１つの１．０８ＭＨｚ帯域のみにおいて高い干渉が観測されるときに、低い干渉を有する３つの様子に基づいてより弱いｅＮＢ１からのＰＣＦＩＣＨを信頼できる形で復号することができる。不利な状況にあるＵＥは、１つの１．０８ＭＨｚ帯域のみにおいて高い干渉が観測されるときに、低い干渉を有する少なくとも２つの様子に基づいてより弱いｅＮＢ１からのＰＨＩＣＨを信頼できる形で復号することができる。不利な状況にあるＵＥは、ＰＣＦＩＣＨ及びＰＨＩＣＨを復号するために上述される設計のうちのいずれかを用いてより弱いｅＮＢ１からのＰＤＣＣＨ及びＰＤＳＣＨを復号することができる。不利な状況にあるＵＥは、高い干渉を有する受信されたシンボルを廃棄し、復号プロセスにおいてより低い重みをこれらの受信されたシンボルに与え、これらの受信されたシンボルからの干渉を推定及び除去すること、等ができる。不利な状況にあるＵＥは、ＵＥに送信されたＰＤＣＣＨ及びＰＤＳＣＨのためにより弱いｅＮＢ１によって用いられるより高い送信電力及び／又はより低い変調及び符号化方式から利益を得ることもできる。
【００５５】
不利な状況にあるＵＥは、より弱いｅＮＢ１から各セル専用の基準信号を受信することもできる。不利な状況にあるＵＥは、高い干渉を有さない帯域１の部分において受信された基準信号の一部分を保持することができ及び高い干渉を有する帯域１の他の部分において受信された基準信号の残りの部分を廃棄することができる。不利な状況にあるＵＥは、幾つかの受信された基準シンボルにおけるより高い干渉を考慮に入れることによってチャネル推定を行うこともできる。
【００５６】
不利な状況にあるＵＥは、様々な方法で１つ以上の強いｅＮＢからの高い干渉を有する１つ以上の帯域を決定することができる。不利な状況にあるＵＥは、例えば、ｅＮＢによって送信された一次及び二次同期化信号に基づいて、これらのｅＮＢの有無を検出することができる。一設計においては、ＵＥは、各々の検出されたｅＮＢによって用いられた帯域及びｅＮＢによって送信された各セル専用の基準信号に基づいてｅＮＢから受信された干渉の量を決定することができる。他の設計においては、ＵＥは、システム情報又はｅＮＢからの何らかのその他の情報に基づいて各々の検出されたｅＮＢによって用いられた帯域を決定することができる。さらに他の設計においては、ＵＥは、サービスを提供するｅＮＢによって送信された近隣体リストに基づいて各々の検出されたｅＮＢによって用いられた帯域を決定することができる。ＵＥは、その他の方法で各々の検出されたｅＮＢによって用いられた帯域を決定することもできる。ＵＥは、各セル専用の基準信号、同期化信号、及び／又はｅＮＢから受信されたその他の送信に基づいて各々の検出されたｅＮＢからの干渉を推定することができる。ＵＥは、上述されるように、様々なチャネルを復号するために帯域及び各々の検出されたｅＮＢからの干渉に関する情報を用いることができる。
【００５７】
一設計においては、不利な状況にあるＵＥは、例えば、その他のｅＮＢからの推定された干渉に基づいて、ＰＣＦＩＣＨはより弱いｅＮＢ１から信頼できる形で受信することができるかどうかを決定することができる。例えば、不利な状況にあるＵＥは、より弱いｅＮＢ１によって用いられた帯域１の少なくともある一定の割合がスレショルドを下回る干渉を有する場合にＰＣＦＩＣＨは信頼できる形で受信することができると決定することができる。不利な状況にあるＵＥは、ＰＣＦＩＣＨが信頼できる形で復号することができる場合にそれを復号することができ及びＰＣＦＩＣＨが信頼できる形で復号することができない場合はＭのためのデフォルト値（例えば、Ｍ＝３）を用いることができる。ＵＥは、Ｍの復号された又はデフォルトの値に基づいてより弱いｅＮＢ１からのＰＨＩＣＨ及びＰＤＣＣＨを処理することができる。
【００５８】
一設計においては、より弱いｅＮＢ１は、制御セグメントの代わりにデータセグメントにおいて１つ以上の制御チャネル（例えば、ＰＣＦＩＣＨ、ＰＨＩＣＨ及び／又はＰＤＣＣＨ）を送信することができる。各サブフレームに関して、制御セグメントは、最初のＭのシンボル期間において全副搬送波を網羅することができ、データセグメントは、サブフレームの残りのシンボル期間において全副搬送波を網羅することができる。より弱いｅＮＢ１は、データ部分の間に低い干渉を有する帯域１の部分において“変位された（ｄｉｓｐｌａｃｅｄ）”制御チャネルを送信することができる。より弱いｅＮＢ１は、例えば、上層シグナリングを介して、変位された制御チャネルのために用いられる時間及び周波数リソースをそのＵＥに知らせることができる。この設計は、制御チャネルが強いｅＮＢからの高い干渉を回避することができることを保証することができる。
【００５９】
範囲拡大シナリオに関して、ｅＮＢ１は、強いマクロｅＮＢであることができ、ｅＮＢ２及び３は、互いの範囲内にあることができる２つのより弱いｅＮＢ（例えば、ピコｅＮＢ及び／又はリレー）であることができる。強いｅＮＢ１は、より弱いｅＮＢ２又は３と通信中のＵＥに対して高い干渉を引き起こすことがある。このため、強いｅＮＢ１は、各々のより弱いｅＮＢがそのＵＥと通信することを可能にするためにそのより弱いｅＮＢによって用いられる帯域における干渉を低減させることができる。例えば、強いｅＮＢ１は、各々のより弱いｅＮＢによって用いられる帯域における送信電力を十分に低い電力レベル（おそらくゼロ）まで低下させることができる。強いｅＮＢ１は、そのＵＥによるそのＰＣＦＩＣＨ、ＰＨＩＣＨ、ＰＤＣＣＨ及びＰＤＳＣＨの信頼できる形での受信を保証するために上述される設計のうちのいずれかを用いてその帯域の残りの部分においてこれらのチャネルを送信することができる。
【００６０】
フェムトｅＮＢは、（フェムト帯域幅と呼ぶことができる）システム帯域幅の一部を占有することができ、及びマクロｅＮＢは、システム帯域幅全体を占有することができる。一設計においては、フェムトｅＮＢは、フェムト帯域幅のみにおいてＵＥをスケジューリングすることができる。他の設計においては、フェムトｅＮＢは、フェムト帯域幅の外側において、ただしシステム帯域幅内において、ＵＥをスケジューリングすることができる。マクロｅＮＢからの制御チャネルが通過することを可能にするために、フェムトｅＮＢは、マクロｅＮＢのために制御領域において信号を送信することを回避することができる。フェムトｅＮＢは、マクロｅＮＢによって送信されるＴＤＭ制御シンボルの数を知ることができずそしてＴＤＭ制御シンボルの最大数を推定することができる。マクロｅＮＢは、フェムトｅＮＢにアクセスすることが禁止されているＵＥにサービスを提供するためにこれらのリソースを用いることが必要になることがある。その場合は、マクロｅＮＢは、（例えば、バックホールを介して及び／又はＵＥを通じてのオーバーザエアで）これらのリソースを使用するのを停止するようにフェムトｅＮＢに要請することができる。
【００６１】
ＬＴＥにおいて、ＵＥは、ＵＥが送信すべき対象として制御情報をのみを有する場合には各サブフレームにおいて物理アップリンク制御チャネル（ＰＵＣＣＨ）を送信することができ、そしてＵＥに対してリソースが割り当てられる。ＵＥは、ＵＥが送信すべき対象としてデータのみ又はデータと制御情報の両方を有する場合には各サブフレームにおいて物理アップリンク共有チャネル（ＰＵＳＣＨ）を送信することができ、そしてＵＥに対してリソースが割り当てられる。ＵＥは、（ｉ）サブフレームの第１のスロットにおいてアップリンクのために用いられる帯域の第１の半分における第１の組の連続する副搬送波において又は（ｉｉ）サブフレームの第２のスロットにおいて帯域の第２の半分における第２の組の連続する副搬送波においてＰＵＣＣＨ又はＰＵＳＣＨを送信することができる。帯域の両方の半分においてＰＵＣＣＨ又はＰＵＳＣＨを送信することは、周波数ダイバーシティを提供することができる。
【００６２】
図６は、支配的干渉シナリオにおける３つのｅＮＢ１、２及び３のためのアップリンク通信をサポートする設計を示す。帯域１は、ｅＮＢ１のためにアップリンクに関して用いることができ及びいずれかの適切な中心周波数及び帯域幅を有することができる。帯域２は、ｅＮＢ２のためにアップリンクに関して用いることができ、帯域１よりも小さい帯域幅を有することができ、及び帯域１によって完全に網羅することができる。帯域３は、ｅＮＢ３のためにアップリンクに関して用いることができ、帯域１よりも小さい帯域幅を有することができ、及び帯域１によって完全に網羅することができる。帯域３は、帯域２と重なり合わないことができ、このため、ｅＮＢ２及び３へのアップリンク送信は、互いに干渉することを回避することができる。
【００６３】
ｅＮＢ１と通信するＵＥは、帯域１の２つの縁部付近に配置された制御領域６１０ａ及び６１０ｂにおいてＰＵＣＣＨを送信することができ及び帯域１の中央に配置されたデータ領域６１２においてＰＵＳＣＨを送信することができる。ｅＮＢ２と通信するＵＥは、帯域２の２つの縁部付近に配置された制御領域６２０ａ及び６２０ｂにおいてＰＵＣＣＨを送信することができ及び帯域２の中央に配置されたデータ領域６２２においてＰＵＳＣＨを送信することができる。ｅＮＢ３と通信するＵＥは、帯域３の２つの縁部付近に配置された制御領域６３０ａ及び６３０ｂにおいてＰＵＣＣＨを送信することができる。制御領域６１０ａ及び６１０ｂ、６２０ａ及び６２０ｂ、及び６３０ａ及び６３０ｂは、３つのｅＮＢのためのＰＵＣＣＨにおける干渉を回避するために重なり合わないようにすることができる。
【００６４】
図７は、支配的干渉シナリオにおける３つのｅＮＢ１、２及び３のためのアップリンク通信をサポートする他の設計を示す。帯域１は、ｅＮＢ１のためにアップリンクに関して用いることができ及びいずれかの適切な中心周波数及び帯域幅を有することができる。帯域２は、ｅＮＢ２のためにアップリンクに関して用いることができ、帯域１と部分的に重なり合うことができ、及び帯域１と同じ又は異なる帯域幅を有することができる。帯域３は、ｅＮＢ３のためにアップリンクに関して用いることができ、帯域１と部分的に重なり合うことができ、及び帯域１と同じ又は異なる帯域幅を有することができる。帯域３は、帯域２と重なり合わないことができ、このため、ｅＮＢ２及び３へのアップリンク送信は、互いに干渉することを回避することができる。
【００６５】
図８は、支配的干渉シナリオにおける３つのｅＮＢ１、２及び３のためのアップリンク通信をサポートするさらに他の設計を示す。帯域１は、ｅＮＢ１のためにアップリンクに関して用いることができ及びいずれかの適切な中心周波数及び帯域幅を有することができる。帯域２は、ｅＮＢ１のためにアップリンクに関して用いることができ、帯域１よりも小さい帯域幅を有することができ、及び帯域１によって完全に網羅することができる。帯域３は、ｅＮＢ３のためにアップリンクに関して用いることができ、帯域２よりも小さい帯域幅を有することができ、そして帯域２によって完全に網羅することができる。
【００６６】
図９は、支配的干渉シナリオにおける３つのｅＮＢ１、２及び３のためのアップリンク通信をサポートするさらに他の設計を示す。帯域１は、ｅＮＢ１のためにアップリンクに関して用いることができ及び５ＭＨｚの帯域幅を有することができる。帯域２は、ｅＮＢ２のためにアップリンクに関して用いることができ、２．５ＭＨｚよりも小さい帯域幅を有することができる。帯域３は、ｅＮＢ３のためにアップリンクに関して用いることができ、同じく２．５ＭＨｚよりも小さい帯域幅を有することができる。例えば、帯域２及び３は、図９に示されるように、１．０８ＭＨｚの帯域幅をそれぞれ有することができる。
【００６７】
図６乃至９に示される設計に関して、各ｅＮＢは、ＰＵＣＣＨのためにその帯域の２つの縁部付近の制御領域において周波数リソースを割り当てることができ及びＰＵＳＣＨのために帯域の中央のデータ領域において周波数リソースを割り当てることができる。３つのｅＮＢのための帯域は、これらのｅＮＢのための制御領域が重なり合わないように定義することができる。これは、各ｅＮＢのためのＰＵＣＣＨにおける干渉を回避することができる。
【００６８】
より弱いｅＮＢ１と通信するＵＥは、強いｅＮＢ２及び３に対して支配的な干渉体になることがある。（例えば、図６、７、８又は９に示されるように）３つのｅＮＢのための帯域を選択することによって、より弱いｅＮＢ１と通信中のＵＥからのＰＵＣＣＨ送信は、ｅＮＢ２及び３と通信中のＵＥからのＰＵＣＣＨ送信と干渉しない。より弱いｅＮＢ１と通信するＵＥは、（ｉ）ｅＮＢ２に対して高い干渉を引き起こしているＵＥが帯域２と重なり合わない周波数リソースにおいてそれらのＰＵＳＣＨを送信することができるように、及び（ｉｉ）ｅＮＢ３に対して高い干渉を引き起こしているＵＥが帯域３と重なり合わない周波数リソースにおいてそれらのＰＵＳＣＨの送信を送出することができるようにスケジューリングすることもできる。
【００６９】
図６乃至９は、支配的干渉シナリオにおけるアップリンクでの通信をサポートする幾つかの典型的な設計を示す。強い及びより弱いｅＮＢは、その他の方法でアップリンクのための帯域を割り当てることもできる。ｅＮＢには、これらのｅＮＢのためのＰＵＣＣＨが重なり合わないように帯域を割り当てることができる。所定のｅＮＢに対して高い干渉を引き起こす可能性があるＵＥは、それらのＰＤＳＣＨがそのｅＮＢによって用いられる帯域を回避することができるようにスケジューリングすることができる。
【００７０】
アップリンクにおいて、第１のＵＥは、より弱い第１のｅＮＢ（例えば、マクロｅＮＢ又はフェムトｅＮＢ）と通信することができ及び第２のｅＮＢ（例えば、他のフェムトｅＮＢ）に対して高い干渉を引き起こすことがある。第２のｅＮＢがそのＵＥと通信することを可能にするために、第１のＵＥは、（ｉ）第２のｅＮＢによってサービスが提供されるＵＥのＰＵＣＣＨに対して過度の干渉を引き起こすべきでなくまた（ｉｉ）ＵＥが第２のｅＮＢにデータを送信することを可能にするために第２のｅＮＢに割り当てられた帯域の少なくとも一部を使用すべきでない。部分（ｉ）及び（ｉｉ）は、２つのｅＮＢのために直交ＰＵＣＣＨリソースを保証し及び第１のＵＥが第２のｅＮＢの帯域幅においてデータを送信しないことを保証するように第１及び第２のｅＮＢの帯域幅を制御することによって達成させることができる。第１のｅＮＢは、（例えば、バックホール及び／又は第１のＵＥを介して）ｅＮＢ２によってＰＵＣＣＨ及びＰＵＳＣＨのために用いられるリソースを特定することができ及びそれらのリソースを用いることを回避することができる。
【００７１】
部分（ｉ）及び（ｉｉ）は、制御の直交化によって達成させることもできる。第１のｅＮＢは、第２のｅＮＢに対して高い干渉を引き起こすことがある第１のＵＥにサービスを提供することを希望することができる。第１のｅＮＢには、そのＵＥのためのみに用いることができる一組のアップリンクリソースを割り当てることができる。第１のｅＮＢのカバレッジエリア内のその他のＵＥは、それらのＰＵＣＣＨ及びＰＵＳＣＨのためにこれらの割り当てられたリソースを用いることを許可されるようなことはない。第１のｅＮＢのための割り当てられたリソースは、近隣のｅＮＢのための割り当てられたリソースと重なり合わないようにすることができる。第１のｅＮＢは、第１のｅＮＢによってサービスが提供されるＵＥからの報告を介して、その他のｅＮＢの有無を検出することによって、バックホールを通じての通信を介して、等によって近隣のｅＮＢについて学ぶことができる。第１のｅＮＢは、割り当てられたアップリンクリソースをアドバタイズ（ａｄｖｅｒｔｉｓｅ）することができる。第２のＥＵは、第１のｅＮＢのカバレッジ内に存在することができ、第２のｅＮＢと通信することができ、及び第１のｅＮＢの割り当てられたアップリンクリソースにおいて第２のＵＥをスケジューリングしないことを第２のｅＮＢに知らせることができる。代替として、異なるｅＮＢの割り当てられたリソースは、重なり合わないことができ（直交）、このため、第１のＵＥがｅＮＢの割り当てられたリソースにおいてスケジューリングされる場合は、問題は存在しない。
【００７２】
一設計においては、各ｅＮＢのためのダウンリンク帯域及びアップリンク帯域は、同じ帯域幅を有することができ、ダウンリンク帯域幅の中心周波数は、アップリンク帯域の中心周波数と固定されたオフセット分だけ分離することができる。他の設計においては、ダウンリンク帯域及びアップリンク帯域は、異なる帯域幅を有することができ及び／又は固定されたオフセット分だけ分離させなくてもよい。
【００７３】
単純化のために、図３乃至９は、支配的干渉シナリオにおける３つのｅＮＢによる通信をサポートするためのシステム帯域幅の分割を示す。概して、システム帯域幅は、重なり合わないこと又は部分的に重なり合うことができるあらゆる数の周波数帯域に分割することができる。異なるｅＮＢに異なる周波数帯域を割り当てることができる。フェムトｅＮＢによって用いられる周波数帯域は、それらがマクロｅＮＢによって用いられる周波数帯域の一部のみを占有し、このため、フェムトｅＮＢが（ｉ）マクロｅＮＢからのＰＣＦＩＣＨ、ＰＨＩＣＨ、ＰＤＣＣＨ及び／又はその他のチャネルのあまりにも多くのシンボルを失わせることがないような方法で及び（ｉｉ）マクロｅＮＢからのＰＳＳ、ＳＳＳ、及びＰＢＣＨを搬送する周波数範囲を回避することができるような方法で選択することができる。互いに対する支配的な干渉体である可能性があるフェムトｅＮＢの周波数帯域は、それらが可能な限り重なり合わないような形で選択することができる。
【００７４】
ＵＥは、支配的な干渉中のｅＮＢを検出することができ及び例えば、サービスを提供するｅＮＢに送信されるＣＱＩ報告を介してその干渉中のｅＮＢの存在を報告することができる。ＵＥは、より少ない干渉を有する周波数サブバンドのためのＣＱＩ情報を報告することもできる。ＵＥからのＣＱＩ情報は、ＵＥによる信頼できる形での受信を可能にするために様々なチャネルを送信するための適切な周波数リソースを選択するためにサービスを提供するｅＮＢによって用いることができる。
【００７５】
図１０は、ＵＥとの通信のために第１の基地局／ｅＮＢによって実行されるプロセス１０００の設計を示す。第１の基地局（例えば、図３乃至５のマクロｅＮＢ）は、第１の基地局による使用のための第１の周波数帯域（例えば、帯域１）を決定することができる（ブロック１０１２）。第１の周波数帯域は、第２の基地局（例えば、フェムトｅＮＢ２）のための第２の周波数帯域（例えば、図３乃至５の帯域２）と少なくとも部分的に重なり合うことができまた第２の周波数帯域を越えてさらに拡大することができる。第１の周波数帯域は、（図３及び５に示されるように）第２の周波数帯域よりも大きい帯域幅を有することができまた第２の周波数帯域を完全に網羅することができる。第２の周波数帯域も、（例えば、図４に示されように）第１の周波数帯域を越えて拡大することができる。第１の周波数帯域は、第３の基地局（例えば、ｅＮＢ３）のための第３の周波数帯域（例えば、図３乃至５の帯域３）と少なくとも部分的に重なり合うようにすることもできる。第３の周波数帯域は、第２の周波数帯域と重なり合わないようにすることができる。第１の基地局は、第１の基地局のための第１の周波数帯域を示す情報をブロードキャストすることができる。第１の基地局は、第２の基地局のための第２の周波数帯域及び／又は第３の基地局のための第３の周波数帯域を示す情報をブロードキャストすることもできる。第１の基地局は、第１の周波数帯域において少なくとも１つのＵＥと通信することができる（ブロック１０１６）。
【００７６】
ブロック１０１６の一設計においては、第１の基地局は、ダウンリンクにおける通信のために第１の周波数帯域を用いることができる。第１の基地局は、第１の基地局を検出するためのＵＥによる使用のために第１の周波数帯域の中央部分において少なくとも１つの同期化信号（例えば、ＰＳＳ及びＳＳＳ）を送信することができる。第１の基地局は、第１の周波数帯域の中央部分においてブロードキャストチャネル（例えば、ＰＢＣＨ）を送信することもできる。第２及び第３の周波数帯域は、（例えば、図３乃至５に示されように）第１の周波数帯域の中央部分と重なり合わないことができる。第１の基地局は、ＵＥが第２の基地局からの干渉なしに制御チャネル（例えば、ＰＣＦＩＣＨ又はＰＨＩＣＨ）の少なくとも１つの送信を受信することを可能にするために第１の周波数帯域において制御チャネルの複数の送信を送出することができる。第１の基地局は、第２の周波数帯域と重なり合わない第１の周波数帯域の部分においてより高い送信電力で制御チャネルを送信することができる。第１の基地局は、第１の周波数帯域の一部分における第２及び／又は第３の基地局からの高い干渉に対処するためのより低い変調及び符号化方式を用いて制御チャネルを送信することもできる。第１の基地局は、第２の周波数帯域と重なり合わないことができるか又は第２の周波数帯域と最小限重なり合うことができる第１の周波数帯域の部分において少なくとも１つのＵＥに制御チャネル（例えば、ＰＤＣＣＨ）及び／又はデータチャネル（例えば、ＰＤＳＣＨ）を送信することもできる。
【００７７】
ブロック１０１６の他の設計においては、第１の基地局は、アップリンクにおける通信のために第１の周波数帯域を用いることができる。第１の基地局は、第１の周波数帯域の制御領域において少なくとも１つのＵＥによって送信された制御チャネル（例えば、ＰＵＣＣＨ）を受信することができる。制御領域は、第２の周波数帯域と重なり合わないことができる。第１の基地局は、第１の周波数帯域のデータ領域において少なくとも１つのＵＥによって送信されたデータチャネル（例えば、ＰＵＳＣＨ）を受信することもできる。データ領域は、アップリンクにおけるデータ送信のために割り当て可能であり及び第２の周波数帯域と重なり合わないことができる。制御領域は、例えば図６乃至９に示されように、データ領域と重なり合わないことができる。第１の周波数帯域の制御領域は、例えば図６乃至９に示されるように、第２の周波数帯域の制御領域と重なり合わないことができる。
【００７８】
一設計においては、制限された関連づけのシナリオに関して、第１の基地局は、マクロ基地局であることができる。第２及び第３の基地局は、制限されたアクセスを有し第１の基地局と通信中のＵＥに対してダウンリンクにおいて高い干渉を引き起こすフェムト基地局であることができる。他の設計においては、第１の基地局は、ピコ基地局であることができ、第２の基地局は、マクロ基地局であることができる。第１及び第２の基地局は、その他のシナリオにおいてはその他のタイプの基地局であることもできる。
【００７９】
図１１は、基地局／ｅＮＢのための装置１１００の設計を示す。装置１１００は、第１の基地局のための第１の周波数帯域を決定するためのモジュール１１１２と、第１の基地局のための第１の周波数帯域を示す情報をブロードキャストするためのモジュール１１１４と、第１の基地局によって第１の周波数帯域において少なくとも１つのＵＥと通信するためのモジュール１１１６と、を含み、第１の周波数帯域は、第２の基地局のための第２の周波数帯域と少なくとも部分的に重なり合い、及び第２の周波数帯域を越えてさらに拡大する。
【００８０】
図１２は、通信のためにＵＥによって実行されるプロセス１２００の設計を示す。ＵＥは、第１の基地局（例えば、図３乃至５のマクロｅＮＢ１）のための第１の周波数帯域（例えば、帯域１）を示すブロードキャストされた情報を受信することができる。第１の周波数帯域は、第２の基地局（例えば、フェムトｅＮＢ２）のための第２の周波数帯域（例えば、帯域２）と少なくとも部分的に重なり合うことができまた第２の周波数帯域を越えてさらに拡大することができる。第１の周波数帯域は、（例えば、図３及び５に示されるように）第２の周波数帯域よりも大きい帯域幅を有することができまた第２の周波数帯域を完全に網羅することができる。第２の周波数帯域も、（図４に示されるように）第１の周波数帯域を越えてさらに拡大することができる。ＵＥは、第１の周波数帯域において第１の基地局と通信することができる（ブロック１２１４）。
【００８１】
ブロック１２１４の一設計においては、ダウンリンクにおける通信に関して、ＵＥは、第１の周波数帯域の中央部分において第１の基地局によって送信された少なくとも１つの同期化信号（例えば、ＰＳＳ及びＳＳＳ）を受信することができる。中央部分は、第２の周波数帯域と重なり合わないことができる。ＵＥは、第１の周波数帯域において第１の基地局によって送信された制御チャネル（例えば、ＰＣＦＩＣＨ又はＰＨＩＣＨ）を受信することができる。ＵＥは、第１の周波数帯域の一部分において第１の基地局によってＵＥに送信された制御チャネル（例えば、ＰＤＣＣＨ）及び／又はデータチャネル（例えば、ＰＤＳＣＨ）を受信することもできる。この部分は、第２の周波数帯域と重なり合わないことができる。所定のチャネルに関して、ＵＥは、チャネルのための受信されたシンボルを入手し、受信されたシンボルによって観測された干渉を推定し、及び推定された干渉を考慮に入れることによって受信されたシンボルを復号してチャネルにおいて送信された情報を復元することができる。一設計においては、ＵＥは、高い干渉を有する受信されたシンボルを廃棄することができ及び廃棄されない受信されたシンボルを復号してチャネルにおいて送信された情報を復元することができる。他の設計においては、ＵＥは、推定された干渉に基づいて受信されたシンボルに重みを付けることができ及び重みが付けられた受信されたシンボルを復号してチャネルにおいて送信された情報を復元することができる。ＵＥは、基準信号の受信された電力及び／又は第２の基地局からのその他の送信に基づいて干渉を推定することができる。ＵＥは、第１の周波数帯域の異なる部分のための複数の干渉推定値を得ることができる。
【００８２】
一設計においては、ＵＥは、第１の基地局からの所定の制御チャネル（例えば、ＰＣＦＩＣＨ）が信頼できる形で復号可能であるかどうかを決定することができる。ＵＥは、制御チャネルが信頼できる形で復号可能である場合はそれを復号することができ及び制御チャネルが信頼できる形で復号可能でない場合はデフォルト値をそれのために用いることができる。
【００８３】
ブロック１２１４の他の設計においては、アップリンクにおける通信に関して、ＵＥは、第１の周波数帯域の制御領域において第１の基地局に制御チャネル（例えば、ＰＵＣＣＨ）を送信することができる。制御領域は、第２の周波数帯域と重なり合わないことができる。ＵＥは、第１の周波数帯域のデータ領域において第１の基地局にデータチャネル（例えば、ＰＵＳＣＨ）を送信することもできる。データ領域は、アップリンクにおけるデータ送信のために割り当て可能であり及び第２の周波数帯域と重なり合わないことができる。制御領域は、データ領域と重なり合わないことができる。
【００８４】
制限された関連づけのシナリオに関して、第１の基地局は、マクロ基地局であることができ、第２の基地局は、制限されたアクセスを有し及びアップリンクにおいてＵＥからの高い干渉を観測するフェムト基地局であることができる。その他のシナリオにおいては、第１の基地局は、マクロ基地局であることができ、第２の基地局は、ピコ基地局、リレー、等であることができる。
【００８５】
図１３は、ＵＥのための装置１３００の設計を示す。装置１３００は、第１の基地局のための第１の周波数帯域を示すブロードキャストされた情報を受信するためのモジュール１３１２と、ＵＥによって第１の周波数帯域において第１の基地局と通信するためのモジュール１３１４と、を含み、第１の周波数帯域は、第２の基地局のための第２の周波数帯域と少なくとも部分的に重なり合い及び第２の周波数帯域を越えてさらに拡大する。
【００８６】
図１４は、ＵＥとの通信のために第１の基地局／ｅＮＢによって実行されるプロセス１４００の設計を示す。第１の基地局（例えば、図３乃至５のフェムトｅＮＢ２）は、第１の基地局のための第１の周波数帯域（例えば、帯域２）を決定することができる（ブロック１４１２）。第１の周波数帯域は、第２の基地局（例えば、マクロｅＮＢ１）のための第２の周波数帯域（例えば、図３乃至５における帯域１）と少なくとも部分的に重なり合うことができ、及び第２の周波数帯域は、第１の周波数帯域を越えて拡大することができる。第１の周波数帯域は、（例えば、図３及び５に示されるように）第２の周波数帯域よりも小さい帯域幅を有することができ及び第２の周波数帯域によって完全に網羅することができる。第１の周波数帯域も、（図４に示されるように）第２の周波数帯域を越えて拡大することができる。第１の基地局は、第１の基地局のための第１の周波数帯域を示す情報をブロードキャストすることができる（ブロック１４１４）。第１の基地局は、第２の基地局のための第２の周波数帯域を示す情報をブロードキャストすることもできる。第１の基地局は、第１の周波数帯域において少なくとも１つのＵＥと通信することができる（ブロック１４１６）。
【００８７】
ブロック１４１６の一設計において、ダウンリンクにおける通信に関して、第１の基地局は、第１の基地局を検出するためのＵＥによる使用のために第１の周波数帯域の中央部分において少なくとも１つの同期化信号（例えば、ＰＳＳ及びＳＳＳ）を送信することができる。第１の周波数帯域は、同期化信号を送信するために第２の基地局によって用いられる第２の周波数帯域の中央部分と重なり合わないことができる。第１の基地局は、第１の周波数帯域において少なくとも１つの制御チャネル（例えば、ＰＣＦＩＣＨ）及びＰＨＩＣＨ）を送信することができる。少なくとも１つの制御チャネルは、第２の基地局のための第２の周波数帯域の一部分に対して高い干渉を引き起こすことがある。第１の基地局は、第１の周波数帯域において制御チャネル（例えば、ＰＤＣＣＨ）及び／又はデータチャネル（例えば、ＰＤＳＣＨ）を送信することもできる。
【００８８】
ブロック１４１６の他の設計において、アップリンクにおける通信に関して、第１の基地局は、第１の周波数帯域の制御領域において少なくとも１つのＵＥによって送信された制御チャネル（例えば、ＰＵＣＣＨ）を受信することができる。制御領域は、図６乃至９に示されるように、第２の周波数帯域の制御領域と重なり合わないことができる。第１の基地局は、第１の周波数帯域のデータ部において少なくとも１つのＵＥによって送信されたデータチャネル（例えば、ＰＵＳＣＨ）を受信することもできる。
【００８９】
制限された関連づけのシナリオに関して、第１の基地局は、制限されたアクセスを有するフェムト基地局であることができ、第２の基地局は、マクロ基地局であることができる。第１及び第２の基地局は、その他のシナリオにおいてはその他のタイプの基地局であることもできる。
【００９０】
図１５は、基地局のための装置１５００の設計を示す。装置１５００は、第１の基地局のための第１の周波数帯域を決定するためのモジュール１５１２と、第１の基地局のための第１の周波数帯域を示す情報をブロードキャストするためのモジュール１５１４と、第１の基地局によって第１の周波数において少なくとも１つのＵＥと通信するためのモジュール１５１６と、を含み、第１の周波数帯域は、第２の基地局のための第２の周波数帯域と少なくとも部分的に重なり合い、及び第２の周波数帯域は、第１の周波数帯域を越えて拡大する。
【００９１】
図１６は、通信のためにＵＥによって実行されるプロセス１６００の設計を示す。ＵＥは、第１の基地局（例えば、フェムトｅＮＢ２）のための第１の周波数帯域（例えば、図３乃至５における帯域２）を示すブロードキャストされた情報を受信することができる（ブロック１６１２）。第１の周波数帯域は、第２の基地局（例えば、マクロｅＮＢ１）のための第２の周波数帯域（例えば、帯域１）と少なくとも部分的に重なり合うことができ、及び第２の周波数帯域は、第１の周波数帯域を越えて拡大することができる。ＵＥは、第１の周波数帯域において第１の基地局と通信することができる（ブロック１６１４）。
【００９２】
ブロック１６１４の一設計において、ダウンリンクにおける通信に関して、ＵＥは、第１の周波数帯域の中央部分において第１の基地局によって送信された少なくとも１つの同期化信号（例えば、ＰＳＳ及びＳＳＳ）を受信することができる（ブロック１６１４）。第１の周波数帯域は、同期化信号を送信するために第２の基地局によって用いられる第２の周波数帯域の中央部分と重なり合わないことができる。ＵＥは、第１の周波数帯域において第１の基地局によって送信された少なくとも１つの制御チャネル（例えば、ＰＣＦＩＣＨ又はＰＨＩＣＨ）を受信することができる。少なくとも１つの制御チャネルは、第２の基地局のための第２の周波数帯域の一部分に対して高い干渉を引き起こすことがある。ＵＥは、第１の周波数帯域において第１の基地局によって送信された制御チャネル（例えば、ＰＤＣＣＨ）及び／又はデータチャネル（例えば、ＰＤＳＣＨ）を受信することもできる。
【００９３】
ブロック１６１４の他の設計において、アップリンクにおける通信に関して、ＵＥは、第１の周波数帯域の制御領域において第１の基地局に制御チャネル（例えば、ＰＵＣＣＨ）を送信することができる。制御領域は、例えば図６乃至９に示されるように、第２の周波数帯域の制御領域と重なり合わないことができる。ＵＥは、第１の周波数帯域のデータ部分において第１の基地局にデータチャネル（例えば、ＰＵＳＣＨ）を送信することもできる。
【００９４】
図１７は、ＵＥのための装置１７００の設計を示す。装置１７００は、第１の基地局のための第１の周波数帯域を示すブロードキャストされた情報を受信するためのモジュール１７１２と、ＵＥによって第１の周波数帯域において第１の基地局と通信するためのモジュール１７１４と、を含み、第１の周波数帯域は、第２基地局のための第２の周波数帯域と少なくとも部分的に重なり合い、及び第２の周波数帯域は、第１の周波数帯域を越えて拡大する。
【００９５】
図１１、１３、１５及び１７におけるモジュールは、プロセッサ、電子デバイス、ハードウェアデバイス、電子コンポーネント、論理回路、メモリ、ソフトウェアコード、ファームウェアコード、等、又はそのいずれかの組み合わせを備えることができる。
【００９６】
図１８は、図１における基地局／ｅＮＢのうちの１つ及びＵＥのうちの１つであることができる基地局／ｅＮＢ１１０及びＵＥ１２０の設計のブロック図を示す。制限された関連づけのシナリオに関して、基地局１１０は、図１におけるマクロ基地局１１０ｃであることができ、ＵＥ１２０は、ＵＥ１２０ｙであることができる。基地局１１０は、何らかのその他のタイプの基地局であることもできる。基地局１１０は、Ｔのアンテナ１８３４ａ乃至１８３４ｔを装備することができ、及びＵＥ１２０はＲのアンテナ１８５２ａ乃至１８５２ｒを装備することができ、ここで、概して、Ｔ≧及びＲ≧１である。
【００９７】
基地局１１０において、送信機プロセッサ１８２０は、データソース１８１２からデータを及びコントローラ／プロセッサ１８４０から制御情報を受信することができる。制御情報は、ＰＢＣＨ、ＰＣＦＩＣＨ、ＰＨＩＣＨ、ＰＤＣＣＨ、等に関するものであることができる。データは、ＰＤＳＣＨ、等に関するものであることができる。プロセッサ１８２０は、データ及び制御情報を処理（例えば、符号化及びシンボルマッピング）してデータシンボル及び制御シンボルをそれぞれ得ることができる。プロセッサ１８２０は、例えば、ＰＳＳ、ＳＳＳ、及び各セル専用の基準信号のための基準シンボルを生成することもできる。送信（ＴＸ）多入力多出力（ＭＩＭＯ）プロセッサ１８３０は、データシンボル、制御シンボル、及び／又は該当する場合は基準シンボルに対して空間処理（例えば、プリコーディング）を行うことができ、及びＴの出力シンボルストリームをＴの変調器（ＭＯＤ）１８３２ａ乃至１８３２ｔに提供することができる。各変調器１８３２は、（例えば、ＯＦＤＭ、等に関する）各々の出力シンボルストリームを処理して出力サンプルストリームを得ることもできる。各変調器１８３２は、出力サンプルストリームをさらに処理（例えば、アナログに変換、増幅、フィルタリング、及びアップコンバージョン）してダウンリンク信号を得ることができる。変調器１８３２ａ乃至１８３２ｔからのＴのダウンリンク信号は、Ｔのアンテナ１８３４ａ乃至１８３４ｔをそれぞれ介して送信することができる。
【００９８】
ＵＥ１２０において、アンテナ１８５２ａ乃至１８５２ｒは、基地局１１０からダウンリンク信号を受信することができ及び受信された信号を復調器（ＤＥＭＯＤ）１８５４ａ乃至１８５４ｒにそれぞれ提供することができる。各復調器１８５４は、各々の受信された信号をコンディショニング（例えば、フィルタリング、増幅、ダウンコンバージョン、及びデジタル化）して入力サンプルを得ることができる。各復調器１８５４は、（例えば、ＯＦＤＭ、等に関する）入力サンプルをさらに処理して受信されたシンボルを得ることができる。ＭＩＭＯ検出器１８５６は、すべてのＲの復調器１８５４ａ乃至１８５４ｒから受信されたシンボルを得ること、該当する場合は受信されたシンボルにおけるＭＩＭＯ検出を行うこと、及び検出されたシンボルを提供することができる。受信機プロセッサ１８５８は、検出されたシンボルを処理（例えば、復調、デインターリービング、及び復号）し、ＵＥ１２０のための復号されたデータをデータシンク１８６０に提供し、及び復号された制御情報をコントローラ／プロセッサ１８８０に提供することができる。
【００９９】
アップリンクにおいて、ＵＥ１２０において、送信プロセッサ１８６４は、データソース１８６２から（例えば、ＰＵＳＣＨに関する）データを及びコントローラ／プロセッサ１８８０から（例えば、ＰＵＣＣＨに関する）制御情報を受信及び処理することができる。プロセッサ１８６４は、基準信号のための基準シンボルを生成することもできる。送信プロセッサ１８６４からのシンボルは、該当する場合はＴＸ  ＭＩＭＯプロセッサ１８６６によってプリコーディングし、（例えば、ＳＣ−ＦＤＭ、等のために）変調器１８５４ａ乃至１８５４ｒによってさらに処理し、基地局１１０に送信することができる。基地局１１０において、ＵＥ１２０からのアップリンク信号は、アンテナ１８３４によって受信し、復調器１８３２によって処理し、該当する場合はＭＩＭＯ検出器１８３６によって検出し、受信プロセッサ１８３８によってさらに処理し、ＵＥ１２０によって送信された復号されたデータ及び制御情報を得ることができる。プロセッサ１８３８は、復号されたデータをデータシンク１８３９に及び復号された制御情報をコントローラ／プロセッサ１８４０に提供することができる。
【０１００】
コントローラ／プロセッサ１８４０及び１８８０は、基地局１１０及びＵＥ１２０における動作をそれぞれ指示することができる。基地局１１０におけるプロセッサ１８４０及び／又はその他のプロセッサ及びモジュールは、図１０におけるプロセス１０００、図１４におけるプロセス１４００、及び／又はここにおいて説明される技術のためのその他のプロセスを実行又は指示することができる。ＵＥ１２０におけるプロセッサ１８８０及び／又はその他のプロセッサ及びモジュールも、図１２におけるプロセス１２００、図１６におけるプロセス１６００、及び／又はここにおいて説明される技術のためのその他のプロセスを実行又は指示することができる。メモリ１８４２及び１８８２は、基地局１１０及びＵＥ１２０のためのデータ及びプログラムコードをそれぞれ格納することができる。スケジューラ１８４４は、ダウンリンク及び／又はアップリンクにおけるデータ送信のためにＵＥをスケジューリングすることができる。
【０１０１】
当業者は、情報及び信号は様々な異なる技術及び技術のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそのあらゆる組合せによって表すことができる。
【０１０２】
ここにおける開示と関係させて説明される様々な例示的論理ブロック、モジュール、回路、及びアルゴリズム上のステップは、電子ハードウェア、コンピュータソフトウェア、又は両方の組み合わせとして実装可能であることを当業者はさらに理解するであろう。ハードウェアとソフトウェアのこの互換性を明確に例示するため、上記においては、様々な例示的コンポーネント、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本開示の適用範囲からの逸脱を生じさせるものであるとは解釈すべきではない。  
ここにおける開示と関係させて説明される様々な例示的な、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる適切な構成、として実装することも可能である。
【０１０３】
ここにおける開示と関係させて説明される方法又はアルゴリズムのステップは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサに結合することができ、このため、プロセッサは、記憶媒体から情報を読み出すこと及び記憶媒体に情報を書き込むことができる。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【０１０４】
１つ以上の典型的な設計において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体に格納すること又は１つ以上の命令又は符号として送信することができる。コンピュータによって読み取り可能な媒体は、コンピュータ記憶媒体と、１つの場所から他の場所へのコンピュータプログラムの転送を容易にするあらゆる媒体を含む通信媒体との両方を含む。記憶媒体は、汎用コンピュータ又は特殊コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は汎用コンピュータ又は特殊コンピュータ、又は汎用プロセッサ又は特殊プロセッサによってアクセス可能な命令又はデータ構造の形態で希望されるプログラムコード手段を搬送又は格納するために用いることができるその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常はデータを磁気的に複製し、ｄｉｓｃは、通常はレーザを用いて光学的にデータを複製する。上記の組合せも、コンピュータによって読み取り可能な媒体の適用範囲に含めるべきである。
【０１０５】
本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び斬新な特徴に一致する限りにおいて最も広範な適用範囲が認められるべきである。
【図１】
2011527877.tif 000004
【図２】
2011527877.tif 000005
【図３】
2011527877.tif 000006
【図４】
2011527877.tif 000007
【図５】
2011527877.tif 000008
【図６】
2011527877.tif 000009
【図７】
2011527877.tif 000010
【図８】
2011527877.tif 000011
【図９】
2011527877.tif 000012
【図１０】
2011527877.tif 000013
【図１１】
2011527877.tif 000014
【図１２】
2011527877.tif 000015
【図１３】
2011527877.tif 000016
【図１４】
2011527877.tif 000017
【図１５】
2011527877.tif 000018
【図１６】
2011527877.tif 000019
【図１７】
2011527877.tif 000020
【図１８】
2011527877.tif 000021
【国際調査報告】
2011527877.tif 000022
2011527877.tif 000023
2011527877.tif 000024
2011527877.tif 000025
2011527877.tif 000026
2011527877.tif 000027
2011527877.tif 000028